(57)【要約】【課題】通信部内の送信回路や受信回路が通常動作を行わなくなって通信ができなくなり、通信障害状態からの復旧が困難になる場合があった。【解決手段】ユニットの制御信号を供給するコントローラとユニット間でデータを通信させる通信制御装置において、ユニット及びコントローラに設けられた通信装置に一定周期で入力される垂直同期信号が、所定の一定期間（Ｔ１）以上途切れていることを検出すると、通信障害状態と判断し通信障害状態情報を記憶することのできる通信状態情報記憶装置を有する通信制御装置とする。【選択図】図１　
2004145321.tif 000002
【特許請求の範囲】
【請求項１】
表示用ユニットの制御信号を供給するコントローラと前記表示用ユニットとの間又は／及び表示用ユニット間でデータを通信させる通信手段を有する通信制御装置において、
前記通信手段に一定周期で入力される信号（Ｖ）によりカウント値が初期化されるカウンタ回路と、
該カウンタ回路がカウントするカウント値と予め設定された比較値（Ｍ）とを比較すると共に前記比較値（Ｍ）と前記カウント値の一致を検出し通信障害状態と判断する比較回路とを
有することを特徴とする通信制御装置。
【請求項２】
表示用ユニットの制御信号を供給するコントローラと前記表示用ユニットとの間又は／及び表示用ユニット間でデータを通信させる通信手段を有する通信制御装置において、
前記通信手段に一定周期で入力される信号（Ｖ）からの所定の一定期間（Ｔ１）を検出し通信障害状態と判断する第一の検出手段を有することを特徴とする通信制御装置。
【請求項３】
前記通信障害状態を記憶する通信状態情報記憶手段を有する請求項１又は請求項２に記載の通信制御装置。
【請求項４】
前記一定周期で入力される信号（Ｖ）は、垂直及び／又は水平同期信号である請求項１乃至請求項３に記載の通信制御装置。
【請求項５】
表示用ユニットの制御信号を供給するコントローラと前記表示用ユニットとの間又は／及び表示用ユニット間でデータを通信させる通信手段を有する通信制御装置において、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有することを特徴とする通信制御装置。
【請求項６】
表示用ユニットの制御信号を供給するコントローラと前記表示用ユニットとの間及び／又は表示用ユニット間でデータを通信させる通信手段を有する通信制御装置において、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有することを特徴とする通信制御装置。
【請求項７】
前記通信障害状態を記憶する通信状態情報記憶手段を有する請求項５又は請求項６に記載の通信制御装置。
【請求項８】
前記一定周期で入力される信号（Ｖ）は、垂直及び／又は水平同期信号である請求項５乃至請求項７に記載の通信制御装置。
【請求項９】
前記通信障害状態を記憶した前記通信状態情報記憶手段は、前記通信手段からの第一の信号が入力されると、前記通信障害状態の記憶が消去される記憶手段であり、該第一の信号が任意時に入力できる通信手段であることを特徴とする請求項３又は請求項７記載の通信制御装置。
【請求項１０】
表示用ユニットの制御信号を供給するコントローラと前記表示用ユニットとの間又は／及び表示用ユニット間でデータを通信させる通信手段を有するＬＥＤ表示器において、
前記通信手段に一定周期で入力される信号（Ｖ）によりカウント値が初期化されるカウンタ回路と、
該カウンタ回路がカウントするカウント値と予め入力された比較値（Ｍ）とを比較すると共に前記比較値（Ｍ）と前記カウント値の一致を検出し通信障害状態と判断する比較回路とを
有することを特徴とするＬＥＤ表示器。
【請求項１１】
表示用ユニットの制御信号を供給するコントローラと前記表示用ユニットとの間又は／及び表示用ユニット間でデータを通信させる通信手段を有するＬＥＤ表示器において、
前記通信手段に一定周期で入力される信号（Ｖ）からの所定の一定期間（Ｔ１）を検出し通信障害状態と判断する第一の検出手段を有することを特徴とするＬＥＤ表示器。
【請求項１２】
前記通信障害状態を記憶する通信状態情報記憶手段を有する請求項１０又は請求項１１に記載のＬＥＤ表示器。
【請求項１３】
前記一定周期で入力される信号（Ｖ）は、垂直及び／又は水平同期信号である請求項１０乃至請求項１２に記載のＬＥＤ表示器。
【請求項１４】
表示用ユニットの制御信号を供給するコントローラと前記表示用ユニットとの間又は／及び表示用ユニット間でデータを通信させる通信手段を有するＬＥＤ表示器において、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有することを特徴とするＬＥＤ表示器。
【請求項１５】
表示用ユニットの制御信号を供給するコントローラと前記表示用ユニットとの間及び／又は表示用ユニット間でデータを通信させる通信手段を有するＬＥＤ表示器において、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有することを特徴とするＬＥＤ表示器。
【請求項１６】
前記通信障害状態を記憶する通信状態情報記憶手段を有する請求項１４又は請求項１５に記載のＬＥＤ表示器。
【請求項１７】
前記一定周期で入力される信号（Ｖ）は、垂直及び／又は水平同期信号である請求項１４乃至請求項１６に記載のＬＥＤ表示器。
【請求項１８】
前記通信障害状態を記憶した前記通信状態情報記憶手段は、前記通信手段からの第一の信号が入力されると、前記通信障害状態の記憶が消去される記憶手段であり、該第一の信号が任意時に入力できる通信手段であることを特徴とする請求項１２又は請求項１６記載のＬＥＤ表示器。
【請求項１９】
表示用ユニットの制御信号を供給するコントローラと分配ボードとの間又は／及び前記表示用ユニットと分配ボード間でデータを通信させる通信手段を有する通信制御装置において、
前記通信手段に一定周期で入力される信号（Ｖ）によりカウント値が初期化されるカウンタ回路と、
該カウンタ回路がカウントするカウント値と予め入力された比較値（Ｍ）とを比較すると共に前記比較値（Ｍ）と前記カウント値の一致を検出し通信障害状態と判断する比較回路とを
有することを特徴とする通信制御装置。
【請求項２０】
表示用ユニットの制御信号を供給するコントローラと分配ボードとの間又は／及び表示用ユニットと分配ボード間でデータを通信させる通信手段を有する通信制御装置において、
前記通信手段に一定周期で入力される信号（Ｖ）からの所定の一定期間（Ｔ１）を検出し通信障害状態と判断する第一の検出手段を有することを特徴とする通信制御装置。
【請求項２１】
前記通信障害状態を記憶する通信状態情報記憶手段を有する請求項１９又は請求項２０に記載の通信制御装置。
【請求項２２】
前記一定周期で入力される信号（Ｖ）は、垂直及び／又は水平同期信号である請求項１９乃至請求項２１に記載の通信制御装置。
【請求項２３】
表示用ユニットの制御信号を供給するコントローラと分配ボードとの間又は／及び表示用ユニットと分配ボード間でデータを通信させる通信手段を有する通信制御装置において、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有することを特徴とする通信制御装置。
【請求項２４】
表示用ユニットの制御信号を供給するコントローラと分配ボードとの間及び／又は表示用ユニットと分配ボード間でデータを通信させる通信手段を有する通信制御装置において、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有することを特徴とする通信制御装置。
【請求項２５】
前記通信障害状態を記憶する通信状態情報記憶手段を有する請求項２３又は請求項２４に記載の通信制御装置。
【請求項２６】
前記一定周期で入力される信号（Ｖ）は、垂直及び／又は水平同期信号である請求項２３乃至請求項２５に記載の通信制御装置。
【請求項２７】
前記通信障害状態を記憶した前記通信状態情報記憶手段は、前記通信手段からの第一の信号が入力されると、前記通信障害状態の記憶が消去される記憶手段であり、該第一の信号が任意時に入力できる通信手段であることを特徴とする請求項２０又は請求項２５記載の通信制御装置。
【請求項２８】
表示用ユニットの制御信号を供給するコントローラと分配ボードとの間又は／及び表示用ユニットと分配ボード間でデータを通信させる通信手段を有するＬＥＤ表示器において、
前記通信手段に一定周期で入力される信号（Ｖ）によりカウント値が初期化されるカウンタ回路と、
該カウンタ回路がカウントするカウント値と予め入力された比較値（Ｍ）とを比較すると共に前記比較値（Ｍ）と前記カウント値の一致を検出し通信障害状態と判断する比較回路とを
有することを特徴とするＬＥＤ表示器。
【請求項２９】
表示用ユニットの制御信号を供給するコントローラと分配ボードとの間又は／及び表示用ユニットと分配ボード間でデータを通信させる通信手段を有するＬＥＤ表示器において、
前記通信手段に一定周期で入力される信号（Ｖ）からの所定の一定期間（Ｔ１）を検出し通信障害状態と判断する第一の検出手段を有することを特徴とするＬＥＤ表示器。
【請求項３０】
前記通信障害状態を記憶する通信状態情報記憶手段を有する請求項２８又は請求項２９に記載のＬＥＤ表示器。
【請求項３１】
前記一定周期で入力される信号（Ｖ）は、垂直及び／又は水平同期信号である請求項２８乃至請求項３０に記載のＬＥＤ表示器。
【請求項３２】
表示用ユニットの制御信号を供給するコントローラと分配ボードとの間又は／及び表示用ユニットと分配ボード間でデータを通信させる通信手段を有するＬＥＤ表示器において、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有することを特徴とするＬＥＤ表示器。
【請求項３３】
表示用ユニットの制御信号を供給するコントローラと分配ボードとの間及び／又は表示用ユニットと分配ボード間でデータを通信させる通信手段を有するＬＥＤ表示器において、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有することを特徴とするＬＥＤ表示器。
【請求項３４】
前記通信障害状態を記憶する通信状態情報記憶手段を有する請求項３２又は請求項３３に記載のＬＥＤ表示器。
【請求項３５】
前記一定周期で入力される信号（Ｖ）は、垂直及び／又は水平同期信号である請求項３２乃至請求項３４に記載のＬＥＤ表示器。
【請求項３６】
前記通信障害状態を記憶した前記通信状態情報記憶手段は、前記通信手段からの第一の信号が入力されると、前記通信障害状態の記憶が消去される記憶手段であり、該第一の信号が任意時に入力できる通信手段であることを特徴とする請求項３０又は請求項３４記載のＬＥＤ表示器。
【請求項３７】
通信手段に一定周期で入力される信号（Ｖ）によりカウント値が初期化されるカウンタ回路と、
該カウンタ回路がカウントするカウント値と予め設定された比較値（Ｍ）とを比較すると共に前記比較値（Ｍ）と前記カウント値の一致を検出し通信障害状態と判断する比較回路とを
有することを特徴とする通信制御装置。
【請求項３８】
通信手段に一定周期で入力される信号（Ｖ）からの所定の一定期間（Ｔ１）を検出し通信障害状態と判断する第一の検出手段を有することを特徴とする通信制御装置。
【請求項３９】
前記通信障害状態を記憶する通信状態情報記憶手段を有する請求項３７又は請求項３８に記載の通信制御装置。
【請求項４０】
前記一定周期で入力される信号（Ｖ）は、垂直及び／又は水平同期信号である請求項３７乃至請求項３９に記載の通信制御装置。
【請求項４１】
通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有することを特徴とする通信制御装置。
【請求項４２】
通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有することを特徴とする通信制御装置。
【請求項４３】
前記通信障害状態を記憶する通信状態情報記憶手段を有する請求項４１又は請求項４２に記載の通信制御装置。
【請求項４４】
前記一定周期で入力される信号（Ｖ）は、垂直及び／又は水平同期信号である請求項４１乃至請求項４３に記載の通信制御装置。
【請求項４５】
前記通信障害状態を記憶した前記通信状態情報記憶手段は、前記通信手段からの第一の信号が入力されると、前記通信障害状態の記憶が消去される記憶手段であり、該第一の信号が任意時に入力できる通信手段であることを特徴とする請求項３９又は請求項４３記載の通信制御装置。
【請求項４６】
表示用ユニットの制御信号を供給するコントローラと前記表示用ユニットとの間又は／及び表示用ユニット間でデータを通信させる通信手段を有するＬＥＤ表示器を備えるビルディングにおいて、
前記通信手段に一定周期で入力される信号（Ｖ）によりカウント値が初期化されるカウンタ回路と、
該カウンタ回路がカウントするカウント値と予め入力された比較値（Ｍ）とを比較すると共に前記比較値（Ｍ）と前記カウント値の一致を検出し通信障害状態と判断する比較回路とを
有するＬＥＤ表示器を備える事を特徴とするビルディング。
【請求項４７】
表示用ユニットの制御信号を供給するコントローラと前記表示用ユニットとの間又は／及び表示用ユニット間でデータを通信させる通信手段を有するＬＥＤ表示器を備えるビルディングにおいて、
前記通信手段に一定周期で入力される信号（Ｖ）からの所定の一定期間（Ｔ１）を検出し通信障害状態と判断する第一の検出手段を有するＬＥＤ表示器を備えるビルディング。
【請求項４８】
前記通信障害状態を記憶する通信状態情報記憶手段を有するＬＥＤ表示器を備える請求項３６又は請求項４７に記載のビルディング。
【請求項４９】
前記一定周期で入力される信号（Ｖ）は、垂直及び／又は水平同期信号であるＬＥＤ表示器を備える請求項４６乃至請求項４８に記載のビルディング。
【請求項５０】
表示用ユニットの制御信号を供給するコントローラと前記表示用ユニットとの間又は／及び表示用ユニット間でデータを通信させる通信手段を有するＬＥＤ表示器を備えるビルディングにおいて、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有するＬＥＤ表示器を備えるビルディング。
【請求項５１】
表示用ユニットの制御信号を供給するコントローラと前記表示用ユニットとの間及び／又は表示用ユニット間でデータを通信させる通信手段を有するＬＥＤ表示器を備えるビルディングにおいて、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有するＬＥＤ表示器を備えることを特徴とするビルディング。
【請求項５２】
前記通信障害状態を記憶する通信状態情報記憶手段を有するＬＥＤ表示器を備える請求項５０又は請求項５１に記載のビルディング。
【請求項５３】
前記一定周期で入力される信号（Ｖ）は、垂直及び／又は水平同期信号であるＬＥＤ表示器を備える請求項５０乃至請求項５２に記載のビルディング。
【請求項５４】
前記通信障害状態を記憶した前記通信状態情報記憶手段は、前記通信手段からの第一の信号が入力されると、前記通信障害状態の記憶が消去される記憶手段であり、該第一の信号が任意時に入力できる通信手段であるＬＥＤ表示器を備える請求項４８又は請求項５２記載のビルディング。
【請求項５５】
表示用ユニットの制御信号を供給するコントローラと分配ボードとの間又は／及び表示用ユニットと分配ボード間でデータを通信させる通信手段を有するＬＥＤ表示器を備えるビルディングにおいて、
前記通信手段に一定周期で入力される信号（Ｖ）によりカウント値が初期化されるカウンタ回路と、
該カウンタ回路がカウントするカウント値と予め入力された比較値（Ｍ）とを比較すると共に前記比較値（Ｍ）と前記カウント値の一致を検出し通信障害状態と判断する比較回路とを
有するＬＥＤ表示器を備えるビルディング。
【請求項５６】
表示用ユニットの制御信号を供給するコントローラと分配ボードとの間又は／及び表示用ユニットと分配ボード間でデータを通信させる通信手段を有するＬＥＤ表示器を備えるビルディングにおいて、
前記通信手段に一定周期で入力される信号（Ｖ）からの所定の一定期間（Ｔ１）を検出し通信障害状態と判断する第一の検出手段を有するＬＥＤ表示器を備えるビルディング。
【請求項５７】
前記通信障害状態を記憶する通信状態情報記憶手段を有するＬＥＤ表示器を備える請求項５５又は請求項５６に記載のビルディング。
【請求項５８】
前記一定周期で入力される信号（Ｖ）は、垂直及び／又は水平同期信号であるＬＥＤ表示器を備える請求項５５乃至請求項５７に記載のビルディング。
【請求項５９】
表示用ユニットの制御信号を供給するコントローラと分配ボードとの間又は／及び表示用ユニットと分配ボード間でデータを通信させる通信手段を有するＬＥＤ表示器を備えるビルディングにおいて、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有するＬＥＤ表示器を備えるビルディング。
【請求項６０】
表示用ユニットの制御信号を供給するコントローラと分配ボードとの間及び／又は表示用ユニットと分配ボード間でデータを通信させる通信手段を有するＬＥＤ表示器を備えるビルディングにおいて、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有するＬＥＤ表示器を備えるビルディング。
【請求項６１】
前記通信障害状態を記憶する通信状態情報記憶手段を有するＬＥＤ表示器を備える請求項５９又は請求項６０に記載のビルディング。
【請求項６２】
前記一定周期で入力される信号（Ｖ）は、垂直及び／又は水平同期信号であるＬＥＤ表示器を備える請求項５９乃至請求項６１に記載のビルディング。
【請求項６３】
前記通信障害状態を記憶した前記通信状態情報記憶手段は、前記通信手段からの第一の信号が入力されると、前記通信障害状態の記憶が消去される記憶手段であり、該第一の信号が任意時に入力できる通信手段であるＬＥＤ表示器を備える請求項５７又は請求項６１記載のビルディング。
【請求項６４】
表示用ユニットの制御信号を供給するコントローラと前記表示用ユニットとの間又は／及び表示用ユニット間でデータを通信させる通信手段を有するＬＥＤ表示器の駆動方法において、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有することを特徴とするＬＥＤ表示器の駆動方法。
【請求項６５】
表示用ユニットの制御信号を供給するコントローラと前記表示用ユニットとの間及び／又は表示用ユニット間でデータを通信させる通信手段を有するＬＥＤ表示器の駆動方法において、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有することを特徴とするＬＥＤ表示器の駆動方法。
【請求項６６】
前記通信障害状態を記憶する通信状態情報記憶手段を有する請求項６４又は請求項６５に記載のＬＥＤ表示器の駆動方法。
【請求項６７】
前記一定周期で入力される信号（Ｖ）は、垂直及び／又は水平同期信号である請求項６４乃至請求項６６に記載のＬＥＤ表示器の駆動方法。
【請求項６８】
表示用ユニットの制御信号を供給するコントローラと分配ボードとの間又は／及び表示用ユニットと分配ボード間でデータを通信させる通信手段を有する通信制御装置の駆動方法において、
前記通信手段に一定周期で入力される信号（Ｖ）によりカウント値が初期化されるカウンタ回路と、
該カウンタ回路がカウントするカウント値と予め設定された第一の比較値とを比較すると共に前記第一の比較値と前記カウント値の一致を検出し通信障害状態と判断する第一の比較回路と、
前記通信障害状態と判断する検出信号により初期化された前記カウンタ回路によりカウントするカウント値と予め設定された第二の比較値とを比較するとともに、前記第二の比較値と前記カウント値の一致を検出し前記通信手段をリセットする信号を出す第二の比較回路とを
有することを特徴とする通信制御装置の駆動方法。
【請求項６９】
表示用ユニットの制御信号を供給するコントローラと分配ボードとの間及び／又は表示用ユニットと分配ボード間でデータを通信させる通信手段を有する通信制御装置の駆動方法において、
前記通信手段に一定周期で入力される信号（Ｖ）からの所定の一定期間（Ｔ１）を検出し通信障害状態と判断する第一の検出手段と、前記通信障害状態と判断する検出信号から所定の一定期間（Ｔ２）を検出し、前記通信手段の少なくとも受信手段と送信手段をリセットする信号を出す第二の検出手段とを有することを特徴とする通信制御装置の駆動方法。
【請求項７０】
前記通信障害状態を記憶する通信状態情報記憶手段を有する請求項６８又は請求項６９に記載の通信制御装置の駆動方法。
【請求項７１】
前記一定周期で入力される信号（Ｖ）は、垂直及び／又は水平同期信号である請求項６８乃至請求項７０に記載の通信制御装置の駆動方法。
【請求項７２】
ＬＥＤユニットコントローラ（３５）から全２重又は／及び半２重双方向パケット通信（３４）できるよう通信用信号コネクタ（３３）を介しカスケード接続された複数のＬＥＤユニット（３１）で構成されるＬＥＤユニットブロック（３２）を備えるＬＥＤ表示器において、
少なくとも前記ＬＥＤユニット（３１）が受信回路（１１）と送信回路（１２）を有する通信部（１３）と、前記受信回路（１１）から垂直同期信号（１１０）が入力されるよう電気的に接続されたカウンタ回路（１５）と、該カウンタ回路（１５）のカウンタ値１（１１３）と予め設定された比較値１（１１４）とを比較して一致すれば該カウンタ回路１（１５）に入力されリセット信号となりかつ記憶装置（１８）に入力されるにフラグ１（１１５）を出力する比較回路１（１６）と、該カウンタ回路１（１５）と電気的に接続され該カウンタ回路１（１５）のカウンタ値と予め設定された比較値２（１１６）とを比較して一致すれば通信部リセット信号（１１１）を出力する比較回路２（１７）からなる保護回路を備えることを特徴とするＬＥＤ表示器。
【請求項７３】
前記記憶装置（１８）が前記通信部（１３）と電気的に接続され該記憶装置（１８）に記憶された前記フラグ１（１１５）からなる通信障害情報（verr-b）（１１２）を前記通信部（１３）が任意に読み出すとともに、前記受信回路（１１）から該記憶装置（１８）内の通信障害情報（verr-b）（１１２）を消去できるリードクリア信号（１９）が入力される記憶装置である請求項７２に記載のＬＥＤ表示器。
【請求項７４】
ＬＥＤコントローラ（７１）から全２重双方向パケット通信（７６）できるようカスケード接続された複数の分配ボード（７２）と該分配ボード（７２）にスター型配線にて放射状に接続されるＬＥＤユニット（７３）から構成されるＬＥＤ表示器において、
少なくとも前記分配ボード（７２）が受信回路（１１）と送信回路（１２）を有する通信部（１３）と、前記受信回路（１１）から垂直同期信号（１１０）が入力されるよう電気的に接続されたカウンタ回路（１５）と、該カウンタ回路（１５）のカウンタ値１（１１３）と予め設定された比較値１（１１４）とを比較して一致すれば該カウンタ回路１（１５）に入力されリセット信号となりかつ記憶装置（１８）に入力されるにフラグ１（１１５）を出力する比較回路１（１６）と、該カウンタ回路１（１５）と電気的に接続され該カウンタ回路１（１５）のカウンタ値と予め設定された比較値２（１１６）とを比較して一致すれば通信部リセット信号（１１１）を出力する比較回路２（１７）からなる保護回路を備えることを特徴とするＬＥＤ表示器。
【請求項７５】
前記記憶装置（１８）が前記通信部（１３）と電気的に接続され該記憶装置（１８）に記憶された前記フラグ１（１１５）からなる通信障害情報（verr-b）（１１２）を前記通信部（１３）が任意に読み出すとともに、前記受信回路（１１）から該記憶装置（１８）内の通信障害情報（verr-b）（１１２）を消去できるリードクリア信号（１９）が入力される記憶装置である請求項７４に記載のＬＥＤ表示器。
【請求項７６】
前記記憶装置（１８）が、前記カウンタ回路１（１５）からカウント状況を示す通信状態（ve-cnt）（１１９）が該記憶装置（１８）へ入力され記憶されるとともに、前記予め設定された比較値１（１１４）と前記予め設定された比較値２（１１６）が該記憶装置（１８）に設定保持されている請求項７２乃至請求項７５に記載のＬＥＤ表示器。
【請求項７７】
ＬＥＤユニットコントローラ（３５）から全２重又は／及び半２重双方向パケット通信（３４）できるよう通信用信号コネクタ（３３）を介しカスケード接続された複数のＬＥＤユニット（３１）で構成されるＬＥＤユニットブロック（３２）を備えるＬＥＤ表示器において、
少なくとも前記ＬＥＤユニット（３１）が受信回路（１１）と送信回路（１２）を有する通信部（１３）と、前記受信回路（１１）から垂直同期信号（１１０）が入力されるよう電気的に接続されたカウンタ回路（１５）と、該カウンタ回路（１５）のカウンタ値１（１１３）と予め設定された比較値１（１１４）とを比較して一致すれば該カウンタ回路１（１５）に入力されリセット信号となりかつ記憶装置（１８）に入力されるフラグ１（１１５）と通信部リセット信号（１１１）を選択的に出力する比較回路１（１６）からなる保護回路を備えることを特徴とするＬＥＤ表示器。
【請求項７８】
前記記憶装置（１８）が前記通信部（１３）と電気的に接続され該記憶装置（１８）に記憶された前記フラグ１（１１５）からなる通信障害情報（verr-b）（１１２）を前記通信部（１３）が任意に読み出すとともに、前記受信回路（１１）から該記憶装置（１８）内の通信障害情報（verr-b）（１１２）を消去できるリードクリア信号（１９）が入力される記憶装置である請求項７７に記載のＬＥＤ表示器。
【請求項７９】
ＬＥＤコントローラ（７１）から全２重双方向パケット通信（７６）できるようカスケード接続された複数の分配ボード（７２）と該分配ボード（７２）にスター型配線にて放射状に接続されるＬＥＤユニット（７３）から構成されるＬＥＤ表示器において、
少なくとも前記分配ボード（７２）が受信回路（１１）と送信回路（１２）を有する通信部（１３）と、前記受信回路（１１）から垂直同期信号（１１０）が入力されるよう電気的に接続されたカウンタ回路（１５）と、該カウンタ回路（１５）のカウンタ値１（１１３）と予め設定された比較値１（１１４）とを比較して一致すれば該カウンタ回路１（１５）に入力されリセット信号となりかつ記憶装置（１８）に入力されるフラグ１（１１５）と通信部リセット信号（１１１）を選択的に出力する比較回路１（１６）からなる保護回路を備えることを特徴とするＬＥＤ表示器。
【請求項８０】
前記記憶装置（１８）が前記通信部（１３）と電気的に接続され該記憶装置（１８）に記憶された前記フラグ１（１１５）からなる通信障害情報（verr-b）（１１２）を前記通信部（１３）が任意に読み出すとともに、前記受信回路（１１）から該記憶装置（１８）内の通信障害情報（verr-b）（１１２）を消去できるリードクリア信号（１９）が入力される記憶装置である請求項７９に記載のＬＥＤ表示器。
【請求項８１】
前記記憶装置（１８）が、前記カウンタ回路１（１５）からカウント状況を示す通信状態（ve-cnt）（１１９）が該記憶装置（１８）へ入力され記憶されるとともに、前記予め設定された比較値１（１１４）と前記予め設定された比較値２（１１６）が該記憶装置（１８）に設定保持されている請求項７７乃至請求項８０に記載のＬＥＤ表示器。
【請求項８２】
少なくとも送信回路（１７３）と受信回路（１７２）からなる通信部（１７４）と、該通信部（１７４）から一定周期の信号（Ｖ）が入力され該信号（Ｖ）からの所定の時間（Ｔ１）を検出する第一の検出手段（１７０）と、該第一の検出手段と接続され該所定の時間（Ｔ１）を検出する検出信号が入力されかつ、該検出信号が入力されてから所定の時間（Ｔ２）を検出して少なくとも前記通信部（１７４）を含む通信手段（１７５）のリセット信号を出力する第二の検出手段（１７１）とを備える通信制御装置。
【請求項８３】
表示用ＬＥＤユニットもしくは表示用ＬＥＤコントローラ対表示用ＬＥＤユニット間通信で、一定周期で入力される垂直又は水平同期信号が、ある一定期間以上受信されていないことを検出するＬＥＤ駆動用通信制御回路。
【請求項８４】
前記一定周期で入力される垂直又は水平同期信号が、受信されていない前記一定期間が調整できる請求項８３記載のＬＥＤ駆動用通信制御回路。
【請求項８５】
前記一定周期で入力される垂直又は水平同期信号が、一定期間以上受信されないことを検出すると、通信障害状態と判断しその情報を記憶することのできる通信状態情報記憶装置を備えたことを特徴とする請求項８４記載のＬＥＤ駆動用通信制御回路。
【請求項８６】
前記通信障害状態になってからさらに一定期間経過すると、少なくとも通信部内部の受信回路と送信回路のリセットを行う請求項８５記載のＬＥＤ駆動用通信制御回路。
【請求項８７】
前記通信障害状態になってから、少なくとも通信部内部の受信回路と送信回路のリセットを行うまでの所定期間が調整できる請求項８６記載のＬＥＤ駆動用通信制御回路。
【請求項８８】
前記通信障害状態で信号を検出すると、前記通信障害状態から通常動作状態に復旧する機能を備えた請求項８７記載のＬＥＤ駆動用通信制御回路。
【請求項８９】
通信障害状態情報を記憶した前記通信状態情報記憶装置は、リードクリア信号が入力されるまで通信状態復旧後も通信障害状態情報記憶が保持される機能を備えた請求項８５記載のＬＥＤ駆動用通信制御回路。
【発明の詳細な説明】
【技術分野】
【０００１】
　本発明は、通信部を備える通信装置に関係し、ＬＥＤ駆動通信制御によるＬＥＤ表示器等に適用することができ、特に垂直同期信号又は水平同期信号等におけるＬＥＤ表示用ユニット表示切替装置などの通信障害に対し信頼性良く復旧可能とする通信制御装置を提供することに適用可能である。
【背景技術】
【０００２】
　　近年、高性能の赤色、緑色や青色のＬＥＤが開発され、フルカラーのＬＥＤ表示が可能となった。大型表示装置の中でも高輝度、長寿命かつ軽量などＬＥＤの特長を生かした、ＬＥＤ表示装置が急速に普及している。また、その用途も多様化しつつあり、大型テレビ、広告、交通情報、立体表示器、照明用等あらゆるアプリケーションに柔軟に対応できるシステムが求められている。
【０００３】
　このようなＬＥＤが用いられるディスプレイとしては、ビルボード用などとして屋外用の大型ディスプレイから、プラットホームなど半屋内の中・小画面サイズのものまで、用途・場所に応じて、ＬＥＤディスプレイの画面サイズおよび画素ピッチも多様なディスプレイが使用されるようになってきた。また、従来の縦・横の画面比率（アスペクト比）も変化していく傾向にあり、ＨＤＴＶに代表されるようなハイビジョン映像をＬＥＤ表示する場合、映像データ量の増大、表示パネルのさらなる大画面化にも対応していかねばならない。
また、高度情報ネットワーク下においては、ディスプレイもそうした通信インフラと接続され、遠隔操作で表示制御、メンテナンス等に対応できることが求められている。
【０００４】
　このようなディスプレイは、たとえば１６ドット×１６ドット程度のＬＥＤをマトリクス状に配列させて、これを一つのＬＥＤユニットとしてモジュール化し、画面サイズや縦・横のアスペクト比などに応じて、ＬＥＤユニットをマトリクス状につなぎ合わせて構成される。
図５に構成例としてＬＥＤディスプレイ８０１を示す。コントローラ８０３に接続された複数の分配器８０４はＬＥＤユニット８０２の各行毎に配設され、表示用の映像データおよび各種制御信号を各ＬＥＤユニット８０２に対し供給する。
【０００５】
　制御信号８２０はたとえば、映像データの同期クロック、水平同期信号、垂直同期信号、ブランク信号、階調基準信号、および映像データのラッチ信号等があり、コントローラ８０３内で、信号の生成を行い分配器８０４を介して各ＬＥＤユニット８０２に供給する。分配器８０４から各ＬＥＤユニット８０２へ送信する表示用フルカラー映像データ８１０は少なくともＲＧＢ（赤色、緑色、青色）の各色の映像データを必要とし、階調分解能に応じて映像データのビット幅が決まる。
【０００６】
　たとえば１色当たり２５６階調で表示する場合には、８ビット幅の映像データバスが３色分必要となる。これら映像データはＬＥＤユニットの数×表示ドットの数を時分割して、ＬＥＤユニット８０２に供給される。各ＬＥＤユニット８０２内のシフトレジスタ回路８０５で映像データ８１０をビットシフトしていき、ある所定のデータ数を供給した時点でデータをラッチし、表示用映像データ８１０として取り込み映像データを表示することができる。
【０００７】
【特許文献１】ＷＯ　０２／０３３６５
【発明の開示】
【発明が解決しようとする課題】
【０００８】
　しかしながら、このようなＬＥＤ表示装置はコントローラ８０３、分配器８０４とＬＥＤユニット８０２間の表示用映像データ８１０を信号インタフェースとしてパラレルバスで伝送し、それに同期した同期クロックと各種制御信号８２０を供給している。そのため、ＬＥＤ表示装置が高精細化或いは大型化するにしたがって信号線数が増大するという問題があった。特に、表示画面が大型化しＬＥＤユニット数が増大する傾向にある現在においては、信号線が増大し長くなると階調用基準信号、映像データの同期クロックのパルス幅劣化、ノイズへの影響が大きな問題となる。
【０００９】
　まず第一に受信されたデータの内容が不正であると、通信部内の送信回路や受信回路が通常動作を行わなくなって通信ができなくなり、一度通信障害状態に陥ると復旧が困難になる場合があった。例えば、受信データにデータ長Ａの指定がある場合で、通常は実際に送られてくるデータ長Ｂと一致しているが、何らかの理由でＡがＢより大きいと、受信したデータをそのまま送信する場合でも、送信するデータ長Ａが実際に送信するデータ長Ｂより大きくなり、通常はＡとＢが一致すると送信を終了するが、この場合は永久に送信が終了できなくなり、例えば、最後に送信したデータと同じデータが繰り返し出力されることになって、こうなると通常動作への復旧は困難となる。さらには、電源変動や通信線の接触不良、通信中の通信線の挿抜（活線挿抜）等で受信回路や送信回路の動作に影響を与えた結果、通信障害状態に陥ることがあり、対応策が必要であった。第二には通信線の接触不良等がある場合は、接触状態によって通信状況が時々刻々と変化していくので過去に発生した通信状況を残しておく必要があるが、過去の通信状況を把握する手段が講じられていなかったため、通信障害履歴等の過去状態等が不明であった。
【００１０】
　上記の問題点に鑑み、通信障害状態を認識した後、通信回路のリセット（初期化）を行い通常動作状態に速やかに復旧できる通信回路を提供することを目的とし、さらに第二の目的として、過去や現在発生している通信障害状態を記憶装置に格納しておき、外部から自由に読み出すことができるようにすることにより、通信障害状態を把握し、しいては対応策を検討できるような通信装置を提供することを目的とするものである。そして、加えて総合的には通信回路等のより高い信頼性の向上を図ることにある。
【００１１】
　また、従来のＬＥＤ表示器を備える建屋、典型的にはビルディング等の建物や広告搭などにおいては、画面の大型化とともに表示用配線増大などの影響でノイズが発生し、不要な電波として周囲に拡散、反射したりするので建屋内外でのテレビ、ラジオ等の電機製品に対し雑音ノイズ等となったり誤動作させるだけでなく、逆に、ＬＥＤ表示器の増大した配線がノイズなどを含む周囲の電波等に反応（拾う）する影響によって、ＬＥＤ表示器自体の表示品質を劣化させるだけでなく、配線含む表示器の重量の増大によりその支持枠や支持構造も堅牢で重くなるので、それを支える建屋自体にかかる負荷も大きくなり、建屋寿命や堅牢にするためのコスト増大等、様様な好ましからざる事項の誘発要因になっていた。
【課題を解決するための手段】
【００１２】
請求項１に記載の発明は、表示用ユニットの制御信号を供給するコントローラと表示用ユニットとの間又は／及び表示用ユニット間でデータを通信させる通信手段を有する通信制御装置において、通信手段に一定周期で入力される信号（Ｖ）によりカウント値が初期化されるカウンタ回路と、カウンタ回路がカウントするカウント値と予め設定された比較値（Ｍ）とを比較すると共に比較値（Ｍ）とカウント値の一致を検出し通信障害状態と判断する比較回路とを有する通信制御装置です。これにより、通信障害状態と再現性良く確実に判断認識することができるとともに、比較値の設定を適宜設定することにより様様な通信状況やユニット表示方式や接続段数に対応した通信障害判断基準とすることができます。
【００１３】
　請求項２に記載の発明は、表示用ユニットの制御信号を供給するコントローラと表示用ユニットとの間又は／及び表示用ユニット間でデータを通信させる通信手段を有する通信制御装置において、通信手段に一定周期で入力される信号（Ｖ）からの所定の一定期間（Ｔ１）を検出し通信障害状態と判断する第一の検出手段を有する通信制御装置です。これにより所定の信号（Ｖ）が定期的に入力受信できない状況について通信障害と判断でき、また通信障害状態と判断する時間（Ｔ１）を通信システムに最適な値に適宜設定可能です。
【００１４】
　請求項３に記載の発明は、通信障害状態を記憶する通信状態情報記憶手段を有する通信制御装置です。
また請求項４に記載の発明は、一定周期で入力される信号（Ｖ）は、垂直及び／又は水平同期信号である通信制御装置です。
【００１５】
　また請求項５に記載の発明は、表示用ユニットの制御信号を供給するコントローラと表示用ユニットとの間又は／及び表示用ユニット間でデータを通信させる通信手段を有する通信制御装置において、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、
通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有する通信制御装置です。
この構成とすることにより、確実に通信障害状態を検出することが出来るとともに、信号（Ｖ）からのカウント時間によって再現性良く通信障害状態を判断できる。さらに、通信障害状態と判断した後、第二の比較回路が第二の比較値を検出するたびに通信手段を初期化（リセット）する第二の検出手段を有することにより、通信障害状態と判断した後の通信手段は、復旧確認されるまで何度でもリセットされ、前記通信手段は信号（Ｖ）の入力に備えることができ、速やかに通常動作状態に復旧できることを可能としている。
【００１６】
　請求項６に記載の発明は、表示用ユニットの制御信号を供給するコントローラと表示用ユニットとの間及び／又は表示用ユニット間でデータを通信させる通信手段を有する通信制御装置において、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有する通信制御装置です。
この発明により、入力信号の中断時間（Ｔ１）を検出し送受信装置を時間（Ｔ２）後にリセットできる表示用ユニットの通信制御装置となります。
【００１７】
　請求項７に記載の発明は、通信障害状態を記憶する通信状態情報記憶手段を有する通信制御装置です。
また請求項８に記載の発明は、一定周期で入力される信号（Ｖ）は、垂直及び／又は水平同期信号である通信制御装置です。
請求項９に記載の発明は、通信障害状態を記憶した通信状態情報記憶手段は、通信手段からの第一の信号が入力されると、通信障害状態の記憶が消去される記憶手段であり、第一の信号が任意時に入力できる通信手段である通信制御装置です。
【００１８】
　請求項１０に記載の発明は、表示用ユニットの制御信号を供給するコントローラと表示用ユニットとの間又は／及び表示用ユニット間でデータを通信させる通信手段を有するＬＥＤ表示器において、通信手段に一定周期で入力される信号（Ｖ）によりカウント値が初期化されるカウンタ回路と、カウンタ回路がカウントするカウント値と予め入力された比較値（Ｍ）とを比較すると共に比較値（Ｍ）とカウント値の一致を検出し通信障害状態と判断する比較回路とを有するＬＥＤ表示器です。この発明によって、一定周期で入力される信号（Ｖ）が途切れカウンタ回路と比較回路を備えた通信障害状態と判断することができるＬＥＤ表示器とすることができます。また、見栄え上問題になるような通信エラーのみエラー検出して復旧動作させることも可能となります。
【００１９】
　請求項１１に記載の発明は、表示用ユニットの制御信号を供給するコントローラと表示用ユニットとの間又は／及び表示用ユニット間でデータを通信させる通信手段を有するＬＥＤ表示器において、通信手段に一定周期で入力される信号（Ｖ）からの所定の一定期間（Ｔ１）を検出し通信障害状態と判断する第一の検出手段を有するＬＥＤ表示器です。
請求項１２に記載の発明は、通信障害状態を記憶する通信状態情報記憶手段を有するＬＥＤ表示器です。
【００２０】
　請求項１３に記載の発明は、一定周期で入力される信号（Ｖ）は、垂直及び／又は水平同期信号であるＬＥＤ表示器です。
請求項１４に記載の発明は、表示用ユニットの制御信号を供給するコントローラと表示用ユニットとの間又は／及び表示用ユニット間でデータを通信させる通信手段を有するＬＥＤ表示器において、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有するＬＥＤ表示器です。
【００２１】
　請求項１５に記載の発明は、表示用ユニットの制御信号を供給するコントローラと表示用ユニットとの間及び／又は表示用ユニット間でデータを通信させる通信手段を有するＬＥＤ表示器において、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有するＬＥＤ表示器です。
また請求項１６に記載の発明は、通信障害状態を記憶する通信状態情報記憶手段を有するＬＥＤ表示器です。
【００２２】
　請求項１７に記載の発明は、一定周期で入力される信号（Ｖ）は、垂直及び／又は水平同期信号であるＬＥＤ表示器です。
請求項１８に記載の発明は、通信障害状態を記憶した通信状態情報記憶手段は、通信手段からの第一の信号が入力されると、通信障害状態の記憶が消去される記憶手段であり、第一の信号が任意時に入力できる通信手段であるＬＥＤ表示器です。
【００２３】
　請求項１９に記載の発明は、表示用ユニットの制御信号を供給するコントローラと分配ボードとの間又は／及び前記表示用ユニットと分配ボード間でデータを通信させる通信手段を有する通信制御装置において、通信手段に一定周期で入力される信号（Ｖ）によりカウント値が初期化されるカウンタ回路と、カウンタ回路がカウントするカウント値と予め入力された比較値（Ｍ）とを比較すると共に比較値（Ｍ）とカウント値の一致を検出し通信障害状態と判断する比較回路とを有する通信制御装置です。
また請求項２０に記載の発明は、表示用ユニットの制御信号を供給するコントローラと分配ボードとの間又は／及び表示用ユニットと分配ボード間でデータを通信させる通信手段を有する通信制御装置において、通信手段に一定周期で入力される信号（Ｖ）からの所定の一定期間（Ｔ１）を検出し通信障害状態と判断する第一の検出手段を有する通信制御装置です。
【００２４】
　請求項２１に記載の発明は、通信障害状態を記憶する通信状態情報記憶手段を有する通信制御装置です。
請求項２２に記載の発明は、一定周期で入力される信号（Ｖ）は、垂直及び／又は水平同期信号である信制御装置です。
請求項２３に記載の発明は、表示用ユニットの制御信号を供給するコントローラと分配ボードとの間又は／及び表示用ユニットと分配ボード間でデータを通信させる通信手段を有する通信制御装置において、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有する通信制御装置です。
【００２５】
　また請求項２４に記載の発明は、表示用ユニットの制御信号を供給するコントローラと分配ボードとの間及び／又は表示用ユニットと分配ボード間でデータを通信させる通信手段を有する通信制御装置において、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有する通信制御装置です。
請求項２５に記載の発明は、通信障害状態を記憶する通信状態情報記憶手段を有する通信制御装置です。
【００２６】
　請求項２６に記載の発明は、一定周期で入力される信号（Ｖ）は、垂直及び／又は水平同期信号である通信制御装置です。
請求項２７に記載の発明は、通信障害状態を記憶した通信状態情報記憶手段は、通信手段からの第一の信号が入力されると、通信障害状態の記憶が消去される記憶手段であり、第一の信号が任意時に入力できる通信手段である通信制御装置です。
【００２７】
　請求項２８に記載の発明は、表示用ユニットの制御信号を供給するコントローラと分配ボードとの間又は／及び表示用ユニットと分配ボード間でデータを通信させる通信手段を有するＬＥＤ表示器において、通信手段に一定周期で入力される信号（Ｖ）によりカウント値が初期化されるカウンタ回路と、カウンタ回路がカウントするカウント値と予め入力された比較値（Ｍ）とを比較すると共に比較値（Ｍ）とカウント値の一致を検出し通信障害状態と判断する比較回路とを
有するＬＥＤ表示器です。
【００２８】
　また請求項２９に記載の発明は、表示用ユニットの制御信号を供給するコントローラと分配ボードとの間又は／及び表示用ユニットと分配ボード間でデータを通信させる通信手段を有するＬＥＤ表示器において、通信手段に一定周期で入力される信号（Ｖ）からの所定の一定期間（Ｔ１）を検出し通信障害状態と判断する第一の検出手段を有するＬＥＤ表示器です。
請求項３０に記載の発明は、通信障害状態を記憶する通信状態情報記憶手段を有するＬＥＤ表示器です。
【００２９】
　請求項３１に記載の発明は、一定周期で入力される信号（Ｖ）は、垂直及び／又は水平同期信号であるＬＥＤ表示器です。
請求項３２に記載の発明は、表示用ユニットの制御信号を供給するコントローラと分配ボードとの間又は／及び表示用ユニットと分配ボード間でデータを通信させる通信手段を有するＬＥＤ表示器において、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有するＬＥＤ表示器です。
【００３０】
　請求項３３に記載の発明は、表示用ユニットの制御信号を供給するコントローラと分配ボードとの間及び／又は表示用ユニットと分配ボード間でデータを通信させる通信手段を有するＬＥＤ表示器において、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有するＬＥＤ表示器です。
【００３１】
　請求項３４に記載の発明は、通信障害状態を記憶する通信状態情報記憶手段を有するＬＥＤ表示器です。
請求項３５に記載の発明は、一定周期で入力される信号（Ｖ）は、垂直及び／又は水平同期信号であるＬＥＤ表示器です。
請求項３６に記載の発明は、通信障害状態を記憶した通信状態情報記憶手段は、通信手段からの第一の信号が入力されると、通信障害状態の記憶が消去される記憶手段であり、第一の信号が任意時に入力できる通信手段であるＬＥＤ表示器です。
【００３２】
　請求項３７に記載の発明は、通信手段に一定周期で入力される信号（Ｖ）によりカウント値が初期化されるカウンタ回路と、カウンタ回路がカウントするカウント値と予め設定された比較値（Ｍ）とを比較すると共に前記比較値（Ｍ）とカウント値の一致を検出し通信障害状態と判断する比較回路とを有する通信制御装置です。
請求項３８に記載の発明は、通信手段に一定周期で入力される信号（Ｖ）からの所定の一定期間（Ｔ１）を検出し通信障害状態と判断する第一の検出手段を有する通信制御装置です。
【００３３】
　請求項３９に記載の発明は、通信障害状態を記憶する通信状態情報記憶手段を有する通信制御装置です。
また請求項４０に記載の発明は、一定周期で入力される信号（Ｖ）は、垂直及び／又は水平同期信号である通信制御装置です。
【００３４】
　請求項４１に記載の発明は、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有する通信制御装置です。
請求項４２に記載の発明は、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有する通信制御装置です。
【００３５】
　請求項４３に記載の発明は、通信障害状態を記憶する通信状態情報記憶手段を有する通信制御装置です。
請求項４４に記載の発明は、一定周期で入力される信号（Ｖ）は、垂直及び／又は水平同期信号である通信制御装置です。
請求項４５に記載の発明は、通信障害状態を記憶した通信状態情報記憶手段は、通信手段からの第一の信号が入力されると、通信障害状態の記憶が消去される記憶手段であり、第一の信号が任意時に入力できる通信手段である通信制御装置です。
【００３６】
　請求項４６に記載の発明は、表示用ユニットの制御信号を供給するコントローラと表示用ユニットとの間又は／及び表示用ユニット間でデータを通信させる通信手段を有するＬＥＤ表示器を備えるビルディングにおいて、通信手段に一定周期で入力される信号（Ｖ）によりカウント値が初期化されるカウンタ回路と、
カウンタ回路がカウントするカウント値と予め入力された比較値（Ｍ）とを比較すると共に比較値（Ｍ）とカウント値の一致を検出し通信障害状態と判断する比較回路とを有するＬＥＤ表示器を備えるビルディングです。
請求項４７に記載の発明は、表示用ユニットの制御信号を供給するコントローラと表示用ユニットとの間又は／及び表示用ユニット間でデータを通信させる通信手段を有するＬＥＤ表示器を備えるビルディングにおいて、通信手段に一定周期で入力される信号（Ｖ）からの所定の一定期間（Ｔ１）を検出し通信障害状態と判断する第一の検出手段を有するＬＥＤ表示器を備えるビルディングです。
【００３７】
　請求項４８に記載の発明は、通信障害状態を記憶する通信状態情報記憶手段を有するＬＥＤ表示器を備えるビルディングです。
請求項４９に記載の発明は、一定周期で入力される信号（Ｖ）は、垂直及び／又は水平同期信号であるＬＥＤ表示器を備えるビルディングです。
また請求項５０に記載の発明は、表示用ユニットの制御信号を供給するコントローラと表示用ユニットとの間又は／及び表示用ユニット間でデータを通信させる通信手段を有するＬＥＤ表示器を備えるビルディングにおいて、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有するＬＥＤ表示器を備えるビルディングです。
【００３８】
　請求項５１に記載の発明は、表示用ユニットの制御信号を供給するコントローラと表示用ユニットとの間及び／又は表示用ユニット間でデータを通信させる通信手段を有するＬＥＤ表示器を備えるビルディングにおいて、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有するＬＥＤ表示器を備えるビルディングです。
また請求項５２に記載の発明は、通信障害状態を記憶する通信状態情報記憶手段を有するＬＥＤ表示器を備えるビルディングです。
【００３９】
　請求項５３に記載の発明は、一定周期で入力される信号（Ｖ）は、垂直及び／又は水平同期信号であるＬＥＤ表示器を備えるビルディングです。
請求項５４に記載の発明は、通信障害状態を記憶した通信状態情報記憶手段は、通信手段からの第一の信号が入力されると、通信障害状態の記憶が消去される記憶手段であり、第一の信号が任意時に入力できる通信手段であるＬＥＤ表示器を備えるビルディングです。
【００４０】
　請求項５５に記載の発明は、表示用ユニットの制御信号を供給するコントローラと分配ボードとの間又は／及び表示用ユニットと分配ボード間でデータを通信させる通信手段を有するＬＥＤ表示器を備えるビルディングにおいて、通信手段に一定周期で入力される信号（Ｖ）によりカウント値が初期化されるカウンタ回路と、カウンタ回路がカウントするカウント値と予め入力された比較値（Ｍ）とを比較すると共に比較値（Ｍ）とカウント値の一致を検出し通信障害状態と判断する比較回路とを有するＬＥＤ表示器を備えるビルディングです。
請求項５６に記載の発明は、表示用ユニットの制御信号を供給するコントローラと分配ボードとの間又は／及び表示用ユニットと分配ボード間でデータを通信させる通信手段を有するＬＥＤ表示器を備えるビルディングにおいて、通信手段に一定周期で入力される信号（Ｖ）からの所定の一定期間（Ｔ１）を検出し通信障害状態と判断する第一の検出手段を有するＬＥＤ表示器を備えるビルディングです。
【００４１】
　請求項５７に記載の発明は、通信障害状態を記憶する通信状態情報記憶手段を有するＬＥＤ表示器を備えるビルディングです。
請求項５８に記載の発明は、一定周期で入力される信号（Ｖ）は、垂直及び／又は水平同期信号であるＬＥＤ表示器を備えるビルディングです。
請求項５９に記載の発明は、表示用ユニットの制御信号を供給するコントローラと分配ボードとの間又は／及び表示用ユニットと分配ボード間でデータを通信させる通信手段を有するＬＥＤ表示器を備えるビルディングにおいて、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有するＬＥＤ表示器を備えるビルディングです。
【００４２】
　請求項６０に記載の発明は、表示用ユニットの制御信号を供給するコントローラと分配ボードとの間及び／又は表示用ユニットと分配ボード間でデータを通信させる通信手段を有するＬＥＤ表示器を備えるビルディングにおいて、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有するＬＥＤ表示器を備えるビルディングです。
請求項６１に記載の発明は、通信障害状態を記憶する通信状態情報記憶手段を有するＬＥＤ表示器を備えるビルディングです。
【００４３】
　請求項６２に記載の発明は、一定周期で入力される信号（Ｖ）は、垂直及び／又は水平同期信号であるＬＥＤ表示器を備えるビルディングです。
請求項６３に記載の発明は、通信障害状態を記憶した通信状態情報記憶手段は、通信手段からの第一の信号が入力されると、通信障害状態の記憶が消去される記憶手段であり、第一の信号が任意時に入力できる通信手段であるＬＥＤ表示器を備えるビルディングです。
【００４４】
　請求項６４に記載の発明は、表示用ユニットの制御信号を供給するコントローラと表示用ユニットとの間又は／及び表示用ユニット間でデータを通信させる通信手段を有するＬＥＤ表示器の駆動方法において、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有するＬＥＤ表示器の駆動方法です。
請求項６５に記載の発明は、表示用ユニットの制御信号を供給するコントローラと表示用ユニットとの間及び／又は表示用ユニット間でデータを通信させる通信手段を有するＬＥＤ表示器の駆動方法において、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有するＬＥＤ表示器の駆動方法です。
【００４５】
　請求項６６に記載の発明は、通信障害状態を記憶する通信状態情報記憶手段を有するＬＥＤ表示器の駆動方法です。
請求項６７に記載の発明は、一定周期で入力される信号（Ｖ）は、垂直及び／又は水平同期信号であるＬＥＤ表示器の駆動方法です。
請求項６８に記載の発明は、表示用ユニットの制御信号を供給するコントローラと分配ボードとの間又は／及び表示用ユニットと分配ボード間でデータを通信させる通信手段を有する通信制御装置の駆動方法において、通信手段に一定周期で入力される信号（Ｖ）によりカウント値が初期化されるカウンタ回路と、カウンタ回路がカウントするカウント値と予め設定された第一の比較値とを比較すると共に第一の比較値とカウント値の一致を検出し通信障害状態と判断する第一の比較回路と、通信障害状態と判断する検出信号により初期化されたカウンタ回路によりカウントするカウント値と予め設定された第二の比較値とを比較するとともに、第二の比較値とカウント値の一致を検出し通信手段をリセットする信号を出す第二の比較回路とを有する通信制御装置の駆動方法です。
【００４６】
　請求項６９に記載の発明は、表示用ユニットの制御信号を供給するコントローラと分配ボードとの間及び／又は表示用ユニットと分配ボード間でデータを通信させる通信手段を有する通信制御装置の駆動方法において、通信手段に一定周期で入力される信号（Ｖ）からの所定の一定期間（Ｔ１）を検出し通信障害状態と判断する第一の検出手段と、通信障害状態と判断する検出信号から所定の一定期間（Ｔ２）を検出し、通信手段の少なくとも受信手段と送信手段をリセットする信号を出す第二の検出手段とを有する通信制御装置の駆動方法です。
請求項７０に記載の発明は、通信障害状態を記憶する通信状態情報記憶手段を有する通信制御装置の駆動方法です。
【００４７】
　請求項７１に記載の発明は、一定周期で入力される信号（Ｖ）は、垂直及び／又は水平同期信号である通信制御装置の駆動方法です。
請求項７２に記載の発明は、ＬＥＤユニットコントローラ（３５）から全２重又は／及び半２重双方向パケット通信（３４）できるよう通信用信号コネクタ（３３）を介しカスケード接続された複数のＬＥＤユニット（３１）で構成されるＬＥＤユニットブロック（３２）を備えるＬＥＤ表示器において、少なくとも前記ＬＥＤユニット（３１）が受信回路（１１）と送信回路（１２）を有する通信部（１３）と、受信回路（１１）から垂直同期信号（１１０）が入力されるよう電気的に接続されたカウンタ回路（１５）と、カウンタ回路（１５）のカウンタ値１（１１３）と予め設定された比較値１（１１４）とを比較して一致すればカウンタ回路１（１５）に入力されリセット信号となりかつ記憶装置（１８）に入力されるにフラグ１（１１５）を出力する比較回路１（１６）と、カウンタ回路１（１５）と電気的に接続されカウンタ回路１（１５）のカウンタ値と予め設定された比較値２（１１６）とを比較して一致すれば通信部リセット信号（１１１）を出力する比較回路２（１７）からなる保護回路を備えるＬＥＤ表示器です。
【００４８】
　請求項７３に記載の発明は、記憶装置（１８）が通信部（１３）と電気的に接続され記憶装置（１８）に記憶されたフラグ１（１１５）からなる通信障害情報（verr-b）（１１２）を通信部（１３）が任意に読み出すとともに、受信回路（１１）から記憶装置（１８）内の通信障害情報（verr-b）（１１２）を消去できるリードクリア信号（１９）が入力される記憶装置であるＬＥＤ表示器です。
請求項７４に記載の発明は、ＬＥＤコントローラ（７１）から全２重双方向パケット通信（７６）できるようカスケード接続された複数の分配ボード（７２）と分配ボード（７２）にスター型配線にて放射状に接続されるＬＥＤユニット（７３）から構成されるＬＥＤ表示器において、少なくとも分配ボード（７２）が受信回路（１１）と送信回路（１２）を有する通信部（１３）と、受信回路（１１）から垂直同期信号（１１０）が入力されるよう電気的に接続されたカウンタ回路（１５）と、カウンタ回路（１５）のカウンタ値１（１１３）と予め設定された比較値１（１１４）とを比較して一致すればカウンタ回路１（１５）に入力されリセット信号となりかつ記憶装置（１８）に入力されるにフラグ１（１１５）を出力する比較回路１（１６）と、カウンタ回路１（１５）と電気的に接続されカウンタ回路１（１５）のカウンタ値と予め設定された比較値２（１１６）とを比較して一致すれば通信部リセット信号（１１１）を出力する比較回路２（１７）からなる保護回路を備えるＬＥＤ表示器です。
【００４９】
　請求項７５に記載の発明は、記憶装置（１８）が通信部（１３）と電気的に接続され記憶装置（１８）に記憶されたフラグ１（１１５）からなる通信障害情報（verr-b）（１１２）を前記通信部（１３）が任意に読み出すとともに、受信回路（１１）から記憶装置（１８）内の通信障害情報（verr-b）（１１２）を消去できるリードクリア信号（１９）が入力される記憶装置であるＬＥＤ表示器です。
請求項７６に記載の発明は、記憶装置（１８）が、カウンタ回路１（１５）からカウント状況を示す通信状態（ve-cnt）（１１９）が記憶装置（１８）へ入力され記憶されるとともに、予め設定された比較値１（１１４）と予め設定された比較値２（１１６）が記憶装置（１８）に設定保持されているＬＥＤ表示器です。
【００５０】
　請求項７７に記載の発明は、ＬＥＤユニットコントローラ（３５）から全２重又は／及び半２重双方向パケット通信（３４）できるよう通信用信号コネクタ（３３）を介しカスケード接続された複数のＬＥＤユニット（３１）で構成されるＬＥＤユニットブロック（３２）を備えるＬＥＤ表示器において、少なくとも前記ＬＥＤユニット（３１）が受信回路（１１）と送信回路（１２）を有する通信部（１３）と、受信回路（１１）から垂直同期信号（１１０）が入力されるよう電気的に接続されたカウンタ回路（１５）と、カウンタ回路（１５）のカウンタ値１（１１３）と予め設定された比較値１（１１４）とを比較して一致すればカウンタ回路１（１５）に入力されリセット信号となりかつ記憶装置（１８）に入力されるフラグ１（１１５）と通信部リセット信号（１１１）を選択的に出力する比較回路１（１６）からなる保護回路を備えることを特徴とするＬＥＤ表示器です。ここで、フラグ１と通信部リセット信号を選択的に出力する比較回路１の典型例としては、図１３として実施例５に示すような回路構成において、図１４のタイミングチャートに示すようにフラグ１が挙がっている状態でカウント値が一致すれば通信部リセット信号を出力し、それ以外の状態でカウント値が一致すればフラグ１を挙げるという比較回路１です。
【００５１】
　請求項７８に記載の発明は、記憶装置（１８）が通信部（１３）と電気的に接続され記憶装置（１８）に記憶された前記フラグ１（１１５）からなる通信障害情報（verr-b）（１１２）を通信部（１３）が任意に読み出すとともに、受信回路（１１）から記憶装置（１８）内の通信障害情報（verr-b）（１１２）を消去できるリードクリア信号（１９）が入力される記憶装置であるＬＥＤ表示器です。
請求項７９に記載の発明は、ＬＥＤコントローラ（７１）から全２重双方向パケット通信（７６）できるようカスケード接続された複数の分配ボード（７２）と分配ボード（７２）にスター型配線にて放射状に接続されるＬＥＤユニット（７３）から構成されるＬＥＤ表示器において、少なくとも分配ボード（７２）が受信回路（１１）と送信回路（１２）を有する通信部（１３）と、受信回路（１１）から垂直同期信号（１１０）が入力されるよう電気的に接続されたカウンタ回路（１５）と、カウンタ回路（１５）のカウンタ値１（１１３）と予め設定された比較値１（１１４）とを比較して一致すればカウンタ回路１（１５）に入力されリセット信号となりかつ記憶装置（１８）に入力されるフラグ１（１１５）と通信部リセット信号（１１１）を選択的に出力する比較回路１（１６）からなる保護回路を備えるＬＥＤ表示器です。
【００５２】
　請求項８０に記載の発明は、記憶装置（１８）が通信部（１３）と電気的に接続され記憶装置（１８）に記憶された前記フラグ１（１１５）からなる通信障害情報（verr-b）（１１２）を前記通信部（１３）が任意に読み出すとともに、受信回路（１１）から記憶装置（１８）内の通信障害情報（verr-b）（１１２）を消去できるリードクリア信号（１９）が入力される記憶装置であるＬＥＤ表示器です。
請求項８１に記載の発明は、記憶装置（１８）が、カウンタ回路１（１５）からカウント状況を示す通信状態（ve-cnt）（１１９）が記憶装置（１８）へ入力され記憶されるとともに、予め設定された比較値１（１１４）と予め設定された比較値２（１１６）が記憶装置（１８）に設定保持されているＬＥＤ表示器です。
【００５３】
　請求項８２に記載の発明は、少なくとも送信回路（１７３）と受信回路（１７２）からなる通信部（１７４）と、通信部（１７４）から一定周期の信号（Ｖ）が入力され該信号（Ｖ）からの所定の時間（Ｔ１）を検出する第一の検出手段（１７０）と、第一の検出手段（１７０）と接続され所定の時間（Ｔ１）を検出する検出信号が入力されかつ、検出信号が入力されてから所定の時間（Ｔ２）を検出して少なくとも通信部（１７４）を含む通信手段（１７５）のリセット信号を出力する第二の検出手段（１７１）とを備える通信制御装置です。
これにより、通信が完全に復旧するまでリセット信号を供出しつづける通信障害を完全復旧するための回路を構成することができます。
また、請求項８３に記載の発明は、表示用ＬＥＤユニットもしくは表示用ＬＥＤコントローラ対表示用ＬＥＤユニット間通信で、一定周期で入力される垂直又は水平同期信号が、ある一定期間以上受信されていないことを検出するＬＥＤ駆動用通信制御回路です。
【００５４】
　また、請求項８４に記載の発明は、一定周期で入力される垂直又は水平同期信号が、受信されていない一定期間が調整できるＬＥＤ駆動用通信制御回路です。
また、請求項８５に記載の発明は、一定周期で入力される垂直又は水平同期信号が、一定期間以上受信されないことを検出すると、通信障害状態と判断しその情報を記憶することのできる通信状態情報記憶装置を備えたＬＥＤ駆動用通信制御回路です。
【００５５】
　請求項８６に記載の発明は、通信障害状態になってからさらに一定期間経過すると、少なくとも通信部内部の受信回路と送信回路のリセットを行うＬＥＤ駆動用通信制御回路です。
請求項８７に記載の発明は、通信障害状態になってから、少なくとも通信部内部の受信回路と送信回路のリセットを行うまでの所定期間が調整できるＬＥＤ駆動用通信制御回路です。
【００５６】
　請求項８８に記載の発明は、通信障害状態で信号を検出すると、通信障害状態から通常動作状態に復旧する機能を備えたＬＥＤ駆動用通信制御回路です。
また請求項８９に記載の発明は、通信障害状態情報を記憶した通信状態情報記憶装置は、リードクリア信号が入力されるまで通信状態復旧後も通信障害状態情報記憶が保持される機能を備えたＬＥＤ駆動用通信制御回路です。
【００５７】
　（通信部）
　また、本発明にいう通信部とは、例えば外部との通信をするための送信手段や受信手段を備えることにより、外部との情報を含めた信号等の受信、送信などにより通信を行える手段であり、典型的には通信手段の中の通信部（１３）であり、電波や赤外線、光波、電磁波などを媒体とする無線通信や電気、電子、光、振動、伸縮などを信号媒体とする有線通信など通信の種類や方法は限定されるものではなく、例えば受信回路と送信回路等を備えることにより、外部との信号などやり取り（通信）をすることができるものであり、典型的構成としては双方向通信をするものである。尚、本発明にいう通信とは、双方向ではない一方向通信や有線、無線を問うものではない。
【００５８】
　また、通信手段とは少なくとも通信部と第一の検出手段を含むものであり、好ましくは第二の検出手段やカウンタ回路、比較回路、記憶手段等、その他の回路構成を有することもできる。
【００５９】
　（通信制御装置）
本発明にいう通信制御装置とは、例えばドットマトリックスのＬＥＤ表示器に映像や文字など点灯表示させるための各種情報信号を通信するとともに、それらの信号を期待通り正確に表示点灯させるための各種制御信号などについて通信部も含めコントロール、分配、結合など制御できる装置等をいう。
【００６０】
　（信号（Ｖ））
本発明にいう一定周期で入力される信号（Ｖ）とは、例えば映像データの同期クロック、水平同期信号、垂直同期信号、ブランク信号、階調基準信号、及び映像データのラッチ信号等、制御信号他として使用できる信号であれば適用可能であり特に限定されるものではない。画像切換え信号として垂直同期信号を基準に一画面表示データをパケットとして、各ユニットごとにひとまとまりで送る場合には垂直同期信号が好ましく用いられる。
【００６１】
　（カウンタ回路）
本発明にいうカウンタ回路とは、例えば通常のカウンタ回路であり所定の数値を規定のタイミングで順次カウントしていくことにより、所定時間に対応するカウント数（又はカウント値）について計数すればよく、すなわち計時できるものもあるがこれに限定されるものではない。またカウントされる値は本明細書においては比較回路１に入力されるカウンタ値をカウンタ値１とし、比較回路２を備える場合に比較回路２に入力される値をカウンタ値２としているが、比較回路は必ずしも２つ備えなくとも本発明回路の機能を構成できる。
【００６２】
　このカウンタ回路１（１５）は、典型例としては一定周期で入力される信号（Ｖ）、例えば垂直同期信号（Ｖ）ごとにリセットされ、また比較回路１（１６）から出力されるフラグ１（１５）でもリセットされ、また通信部リセット信号（１１１）でもリセットされる。通信部リセット信号（１１１）は、少なくとも通信部（１３）全体及びカウンタ回路１（１５）をリセットするように入力されており、すなわち通信部リセット信号（１１１）とは通信部（１３）を含む通信手段をリセットする信号である。
【００６３】
　（比較値）
本発明にいう比較値、例えば比較値１（Ｍ）とは、第一の比較回路においてカウンタ回路のカウンタ値と比較される値であり、任意の所定値に設定できるものである。例えば信号（Ｖ）からの時間（Ｔ１）に相応するカウント値として比較値（Ｍ）を設定することも可能である。同様に比較値（Ｎ）についても、任意の所定値に設定できるものである。例えば通信障害と判断されてからの時間（Ｔ２）に相応するカウント値として比較値（Ｎ）を設定することも可能である。また、ＭとＮは説明の便宜上の数値であり同じであっても違っていても、大小関係についても任意である。また第二の比較回路（比較回路２）を備えた場合には、第二の比較回路で比較される比較値を第二の比較値（比較値２）という。第二の比較値と第二の比較回路は必ずしも備えなくても本発明の機能を有する構成を実現できる。また、比較値は比較回路自体に設定してもよいし、記憶装置等に記憶設定しておき、比較回路にて読み出し可能なように回路構成しても良い。さらには比較値の設定において固定値とすることも可能であるし、外部からの可変値として設定変更可能なよう構成してもよい。設定変更可能なように回路構成した場合には、通信装置やＬＥＤ表示器等が使用される環境や状況、要求仕様等の表示品質において適宜設計設定することができる。
【００６４】
　（通信障害状態）
本発明にいう通信障害状態とは、通常状態（又は正常状態又は定常駆動状態）とは異なる状態を示すものであり、通常の通信が行えない様態を指す。すなわち例えばＬＥＤ表示器などにおいては表示データ等に関わる通信信号の送受信、すなわち表示情報や各種制御信号等の通信データやり取りができなくなっている状態を指し、例えば本来入力されるべき受信信号が入力されない状態や送信すべき送信信号が出力されない状態、通信信号が断絶した状態などが考えられる。
【００６５】
　（通信障害情報）
通信障害情報（１１２）は、少なくとも通信状態記憶情報（１１９）と障害の発生有無を示すフラグ１の“ｈｉｇｈ”、“ｌｏｗ”を共に含むものであり読み出すことができるものである。その他通信障害の継続時間や発生日時、回数、程度、内容、発生場所等の様々な通信障害に関わる情報を提供し、保持し、出力できるように構成することが可能である。
【００６６】
　（通信状態記憶情報）
本発明にいう通信状態記憶情報（１１９）とは、典型的には通信障害状態の継続期間であるが、その目安となる時間やカウンタのカウント値で代替可能である。また、記憶される情報には、通信障害情報（１１２）を含むことが好ましい。
【００６７】
　（検出手段）
本発明にいう通信障害状態と判断する検出手段とは、例えば第一の検出手段と第二の検出手段からなり典型的には本発明回路（１４）であるが、例えばカウンタ回路１（１５）と比較回路１（１６）を備えることにより所定時間（Ｔ１）間にカウントするカウント値（Ｍ）を比較回路１（１６）で検出すると同時に、比較回路１（１６）がフラグ１（１１５）を挙げることにより回路としての通信障害状態を決定できるような検出手段とすることができるが、機能的に通信障害状態を検出できる構成であれば、その他の構成をとることを排除するものではない。
【００６８】
　典型的な第一の検出手段とは、一定周期の信号（Ｖ）からの時間（Ｔ１）を測定できる手段であって、典型例としてはカウンタ回路と比較回路で構成される。また、これに付随して記憶装置を設けたり、比較回路での比較値を外部から任意設定できるように構成しても良い。記憶装置を設けた場合には、通信障害に関わる情報すなわち、通信障害の回数や時間、現在や過去の通信状況などについてカウンタ回路や比較回路からの信号に基づき入力し記憶し、出力させるようにしても良い。また、比較値を外部設定可能なように構成した場合には、通信障害の発生状況や使用環境等に応じて任意に設定変更できるので汎用性が高い装置を構成できる。第一の検出手段が時間（Ｔ１）を検出した場合には、通信部の送信回路や受信回路をリセットする信号を出力するように比較回路等の信号出力と通信部を電気接続することもできる。また、第二の検出手段を設ける場合には、上記比較回路等の信号出力と第二の検出手段を電気的に接続し、第二の検出手段が所定の時間（Ｔ２）を検出した後、第二の検出手段が少なくとも通信部をリセットする信号を出力するようにしても良い。
【００６９】
　典型的な第二の検出手段とは比較回路とカウンタ回路で構成され、通信障害状態と認識する第一の検出手段からの信号（例えばフラグ１）の入力から所定の時間（Ｔ２）を検出し、通信部をリセットする信号を出力するものである。通信部をリセットする信号は同時にカウンタ回路にも入力されカウンタ回路もリセットしてもよい。また、カウンタ回路は第一の検出手段と第二の検出手段で一つのカウンタ回路で併用して構成することも可能であるが、それぞれのカウンタ回路を設置してもまた、３以上のカウンタ回路にて検出手段を構成してもよい。
【００７０】
　図１７に示すように、第一の検出手段にて信号（Ｖ）の継続的入力を監視し、信号（Ｖ）が途絶えた場合には通信障害状態と判断して、判断後第二の検出手段でさらに一定期間（Ｔ２）を検出するごとに、第二の検出手段からリセット信号を出力し、通信部や第一の検出手段、第二の検出手段を含む通信手段をリセットすることが望ましい。この場合においても、第二の検出手段は省略可能である。
【００７１】
　本発明にいう第二の検出手段とは、別の典型例としては本発明回路（１４）の中で、例えばカウンタ回路（１５）と比較回路（１７）と記憶装置（１８）などから構成される回路であって、通信障害状態と判断したあとで、正常状態への速やかな復旧が可能な通信部リセット信号を所定の時間（Ｔ２）ごとに送信し、且つ通信障害状態に関連する様々な情報を記憶・保持できる記憶装置（１８）などを備えることがより好ましい典型的構成である。第二の検出手段の設置場所は、第一の検出手段を含む本件発明回路と同じく、典型的にはＬＥＤユニット内部又は／及び分配ボード内部であるが、その他の場所例えばＬＥＤユニットコントローラ内に設けることもできる。ＬＥＤユニットコントローラ（コントローラに同じ）に設ける場合には、例えば垂直同期信号等の一定周期の信号（Ｖ）のＬＥＤユニットへの送信前に送受信状況を監視することができる。また、通信部リセット信号（１１１）は、通信が完全に復旧するまで一定周期（Ｔ２）で出しつづけることが望ましい。
【００７２】
　（記憶手段）
本発明にいう通信状態情報記憶手段とは、例えば各種メモリー、光磁気媒体やホログラム記憶装置などの各種記憶媒体を備え、通信の良否を含むあらゆる関連情報を記憶保持することのできる記憶装置を含むように構成することができるものである。典型的記憶装置とは、記憶媒体に情報を記憶／読み出しすることのできる装置であり、各種ＭＯ、ハードディスク、ＦＤ、ＣＤ−Ｒ／Ｗ、ＤＶＤ、パソコン等記憶媒体メモリを含む様々な態様のものが存在するが、特に種類を問うものではない。
【００７３】
　また、この記憶手段は実施例にも示しているように省略した回路構成として本件発明実施回路を組むことも可能である。記憶手段を設けない場合には、カウンタ回路１（１５）からの通信状態（１１９）（ve-cnt）は、双方向通信なので直接、通信部（１３）を通じてコントローラ（６６）へ送られ監視するようにできる。この場合には、リアルタイムモニターとすることもできる。特にコントローラ側は、オペレータの側近に位置することでディスプレイ表示内容の遠隔操作だけではなく、通信障害状態等の通信状況についても常時モニター監視することが可能となるものであり、ユーティリティやメンテナンス管理上特段に優れたシステムを構築することができる。
【００７４】
　（制御信号）
本発明にいう制御信号とは、例えばＬＥＤ表示器等において表示するための映像信号や期待通りに表示させるための各種コントロール信号を含みユニットやコントローラ内外で関連する装置等に所定の制御をするために通信される信号等のことである。
【００７５】
　（検出信号）
本発明にいう通信障害状態と判断する検出信号とは、例えば比較回路１（１６）から出力されるフラグ信号（フラグ１（１１５））などでもよい。典型的には、比較値１（Ｍ）とカウンタ回路のカウント値１を比較回路１が比較して一致すれば、すなわち信号（Ｖ）からの所定の時間（Ｔ１）を検出すると、通信障害状態として比較回路１がフラグ１等の検出信号を出力することができる。
【００７６】
　（受信手段）
本発明にいう受信手段とは、例えば受信回路（１１）等を備え、典型的には通信電波などの通信情報を受信することのできるてだてのことをいう。特に、パケット通信用の受信手段であれば、特有のビット変換誤り等に起因する通信障害の復旧において本件発明の適用に際し、際立った作用／効果を発現し好ましい。
【００７７】
　（送信手段）
本発明にいう送信手段とは、例えば送信回路（１２）等を備え、典型的には通信電波などの通信情報を送信することのできるてだてのことをいう。特に、パケット通信用の受信手段であれば、特有のビット変換誤り等に起因する通信障害の復旧において本件発明の適用に際し、際立った作用／効果を発現し好ましい。
【００７８】
　（第一の信号）
本発明にいう第一の信号とは、たとえばリードクリア信号（１９）など記憶装置から記憶情報を読み出すとともに、記憶装置（１８）に記憶された記憶情報を消去できるよう指示するきっかけになるような信号（トリガ信号）、若しくは直接上記動作を行う信号のことをいう。また、第一の信号の記憶手段への通信方法は有線／無線など通信方式は問わない。また、本発明にいう通信手段や通信部を介さずに記憶手段から直接コントローラ側等へ通信障害情報を読み出しできるように構成した場合には、第一の信号はコントローラ側に設けた通信障害情報読み出し装置（例えばパソコンなど）から直接記憶装置にアクセスし、入出力し、また消去することができる。さらに、通信障害状況に応じてフラグ１や通信状態（１１９）に対応させて、警告音やＬＥＤインジケータ点灯／消灯などさせることも可能である。
【００７９】
　（表示用ユニット）など
本発明にいう表示ユニットとは、例えばＬＥＤ表示器やＬＥＤ表示装置などで構成され、本発明にいうコントロールユニットとは、ＬＥＤ表示器やＬＥＤ表示装置を制御するＬＥＤ表示制御器やＬＥＤ表示制御装置で構成されるものである。さらに、本発明にいう表示用ユニットとはＬＥＤ表示用ユニットの他、有機または無機ＥＬ表示用ユニット、ＣＲＴ、液晶、プラズマ表示用ユニット、電光掲示板など表示用ディスプレイ用ユニットであれば種類は問わない。また、ネオン管等の照明を用いた表示用ユニットに用いることも可能である。さらに照明機能を備えた表示用ユニットにも同様に適用可能である。
【００８０】
　（分配ボード）
コントローラからの信号を各ユニットに分配伝達等するための中継的役割を担う。分配ボードは通信のハブ的な中心になることが多いので、特に本発明回路構成を備え、通信の円滑な送受信を監視することが望ましい。
【００８１】
　（ビルディング）
本件発明にいうビルディングとは、建屋のことでありいわゆるマンションやビルなどの高層建築物をはじめ、アパート、平屋、一戸建て、鉄塔、広告搭など人工建築物、断崖絶壁等の自然造詣物を問うものではない。ＬＥＤ表示器を設置することができ、ＬＥＤ表示器を設置している支持構造体及びその土台を含むものである。
【発明の効果】
【００８２】
この発明を使用することによって、通信不能状態（通信障害状態）から通常状態に復旧できる可能性を大きく高めることが可能となった。例えば、受信データにデータ長Ａの指定がある場合において、通常は実際に送られてくるデータ長Ｂと一致しているが、何らかの理由でＡがＢより大きいときに通信不能状態（残データ待ち状態で通信回路が固定（フリーズ）される）になる場合があることや、通信中の通信線の挿抜（活線挿抜）を行っても通信不能になる場合があることから、通常状態に速やかに復旧できることが可能となり、通信の信頼性が向上した。また、建屋等においてはＬＥＤ表示器自体の表示品質のみならず建屋内外での電機製品等の稼動への影響が低減され、寿命も延び特に密集した使用状況においてその効果はおおきい。
【発明を実施するための最良の形態】
【００８３】
（本件発明の第一の実施態様）
本件発明の構成及び動作説明を一実施態様である垂直同期信号回路を例に説明する。図１に示すように、まず外部から通信部（１３）に一定周期で入力されている信号（Ｖ）を利用する。ＬＥＤユニットの表示制御信号として例えば垂直同期信号（１１０）がある。ＬＥＤユニットはこの信号により表示データの切替えを行っていて、通常この信号（Ｖ）、すなわち垂直同期信号（１１０）が途切れることはない。逆にいえばこの垂直同期信号（１１０）が途切れることはＬＥＤユニットが通信障害状態にあるということになる。
【００８４】
　この状態を検出できるようにカウンタ回路１（１５）と比較回路１（１６）、比較回路２（１７）を用意する。通常このカウンタ回路１（１５）は垂直同期信号（１１０）によって定期的にリセットされている。しかし、垂直同期信号（Ｖ）が途切れるとカウンタ回路（カウンタ回路１（１５））のリセットは行われず、さらにカウントアップを続ける。このカウントアップされたカウンタ値１（１１３）がある任意の値の比較値１（Ｍ）（１１４）になると通信障害状態と認識する。通信障害状態になると、そこから所定の時間（Ｔ２）が経過した後、受信回路（１１）、送信回路（１２）、カウンタ回路（１５）のリセット（初期化）を行い、通常状態に復旧することができる。
【００８５】
　次に、通信障害状態を検出すると、記憶装置（１８）に通信障害状態が発生したことを示すデータを書き込む。この記憶装置（１８）は外部から通信部（１３）を通じて自由に読み出すことが可能で、読み出した直後にリードクリア信号（１９）によりリセットされる。さらには連続して読み出すことによって現在・最新の通信障害状態が分かる。この通信状態記憶情報（又は通信障害情報）は、通信障害の有無に関わる日時、障害内容の他、当該通信障害に関連する情報であれば、内容は限定されない。
【００８６】
　本発明回路の詳細なブロック図を図１、タイミングチャートを図２に示す。垂直同期信号は、外部からの通信により一定周期（Ｖ）で入力されている受信データを検出した同期信号である。垂直同期信号（１１０）がカウンタ回路１（１５）に入力されると（入力１）、カウンタ回路１（１５）がリセットされ、再び初期値（図２では“０”）からカウントアップを行う。しかし、垂直同期信号（１１０）が入力されないとカウンタ回路１（１５）のリセットが行われないので、さらにカウントアップを進めカウンタ値１（１１３）が比較回路１（１６）に入力設定されている比較値１（１１４）（図２では“Ｍ”）になるとフラグ１（１１５）が挙がる（図２は“high”）。
【００８７】
　つまり、垂直同期信号（１１０）が、ある一定期間（Ｔ１）以上入力されないと通信障害状態と判断するようになっている。通信障害状態（フラグ１（１１５）が挙がった状態）になると、カウンタ回路１（１５）は、リセットされ再び初期値（図２では“０”から）からカウント動作を行い、今度はカウンタ値１（１１３）が比較回路２（１７）に入力設定されている比較値２（１１６）（図２はＮ＝“3”）になると通信部リセット信号（１１１）を出力するようになっている。同時にカウンタ回路１（１５）はリセットされ、再び初期値（図２では“０”）からカウントを始める。通信障害中はこのカウント、リセット動作を繰り返し、一定周期（Ｔ２）ごとに通信部リセット信号（１１１）が出るようになっている。再び垂直同期信号（１１０）を入力受信した場合は、通信が復旧したと判断し、カウンタ回路１（１５）をリセットし、そしてフラグ１（１１５）を下げる（図は“low”）動作を行い通常通信状態に戻る。
【００８８】
　また、図２に示すように通信障害状態になるとフラグ（フラグ１（１１５））が挙がり、記憶装置（１８）内の通信障害情報部が通信障害認識状態になる（図２は“high”）。この信号は通信状態が通常状態に復旧しても通信障害状態（図２は“high”）を示したままである。これは、過去に起こった通信障害状態を情報として残しておくためである。リードクリア信号（１９）が入力（入力２）されると、記憶装置（１８）内の通信障害情報部がリセットされ、記憶が消去され再び通常状態を示すようになる。この記憶装置（１８）は通信により外部から通信部（１３）を通じて自由に通信障害情報（verr-b）（１１２）が読み出されるようになっているので、ユニットを制御するコントローラ側で過去の通信状況（通信障害の有無及び関連情報）がわかる。この記憶読み出し方法は通信部（１３）を介さなくても良い。
【００８９】
　リードクリア信号（１９）が記憶装置を読み出した後に必ず入力されるようにしておけば、過去の通信状態を知りたければ１回読み出し、現在／最新の通信状態が知りたければ、１回読み出した後に記憶装置がリセットされ、直後に最新の通信状態情報が入力されるので、連続読み出しをすることにより通信状態情報の取得ができる。通信部リセット信号（１１１）は外部との通信を行う通信部（１３）に入力され、この信号により通信部（１３）とともに記憶装置（１８）を除くその他全ての回路（比較回路（１６，１７など）及びカウンタ回路（１５など）含む）がリセット（初期化）されるようになる。このことにより再び通信が可能な状態に復旧できる。
【００９０】
　前記説明は、本件発明の一実施態様である垂直同期回路に基づき説明しているが、本件発明回路は、垂直同期回路に限定されず水平同期回路にも適用でき、また、周期信号（Ｖ）の周期長さに応じて、Ｔ１、Ｔ２、比較値、その他のあらゆるパラメータは、動作環境や使用目的、仕様に適応させ、適宜　設定することが可能である。
【実施例】
【００９１】
（実施例１）実際に設計を行い動作させた実施例のＬＥＤ表示器構成模式図を図３に、また図３に示すＬＥＤユニット内部の回路構成模式図を図４に示す。ＬＥＤユニットコントローラ（３５）とＬＥＤユニット（３１）を複数段接続したもの（ＬＥＤユニットブロック（３２））を構成し、ＬＥＤユニットコントローラ（３５）対ＬＥＤユニット（３１）間やＬＥＤユニット（３１）同士間で全２重／半2重双方向パケット通信を行う。ＬＥＤユニット（３１）は双方向通信を用いることによって、信号の方向が固定されなくなることによりコネクタの入力と出力の区別は無くなって（図の左右のどちらからでも入出力可能）、各ユニット（３１）間やＬＥＤユニットコントローラ（３５）間の通信線は最短距離で結ぶことが可能となっている。
【００９２】
　このことにより、通信距離の長さによって生じる信号波形の減衰や、輻射ノイズ等通信障害の一因ともなる現象を最小限に抑えることができる。さらに信号線数が少なくなっているので差動型の伝送方式（平衡伝送方式）が使えるようになり、輻射ノイズや通信距離、通信速度を向上させることも可能になっている。本実施例では平衡伝送方式、非平衡伝送方式、またはその混在、例えばコントローラからは平衡伝送方式で送信し、ＬＥＤユニットの前で非平衡伝送方式に変換するような構成でも実施を行い正常動作を確認している。
【００９３】
　ＬＥＤユニットコントローラ（３５）は、パケットデータを全ＬＥＤユニット（３１）に対し個別に送ることが可能で、表示データパケットについては通常６０Hzの周期で全ＬＥＤユニット（３１）に対して送信を行う。受信した表示データは、ＬＥＤユニット（４３）の中に各１個ずつ搭載されているＬＥＤ駆動回路（４４）内部の通信手段（４５）によって記憶装置（４７）に送られる。そのデータをドライバIC制御回路（４８）が読み出すことによりＬＥＤドライバIC（４９）へ表示データが送られ、ＬＥＤの点灯動作が開始されるようになっている。
【００９４】
　また、表示データ以外の各ＬＥＤユニット（４３）内部の記憶装置（４７）への制御データの書き込み、読み出し処理も可能であり、ＬＥＤドライバIC（４９）へ様々な設定データ（電流値、点灯時間等）を転送できるようになっている。また、コントローラ（３５）から１画面分の表示データの点灯動作を開始するための垂直同期信号としてＶＳＹＮＣ同期パケットをＬＥＤユニット（４３）側に送信し、通信手段（４５）内部にある受信回路（４１）が受け取ると、受信回路（４１）でＶＳＹＮＣ信号を作りこれを元にして全てのＬＥＤユニット（３１）は１画面分の点灯動作を行う。通常ＶＳＹＮＣ同期パケットは６０Ｈｚ（約１６．６ｍｓ）の一定周期でＬＥＤユニット（３１）側に入力される。
【００９５】
　パケット通信を行う上で、このＶＳＹＮＣ同期パケット周期はＬＥＤユニット（３１）の接続段数を決定する重要な値で、このＶＳＹＮＣ同期パケット周期内に全てのＬＥＤユニット（３１）の表示データを送信しなければならない。つまり、画質等の表示性能を無視すればこのＶＳＹＮＣ同期パケット周期が大きければ大きいほどＬＥＤユニット（３１）の接続段数は増加し、少なければ減少する。したがって、回路に要求される機能に応じて、ＶＳＹＮＣ同期パケット周期は適宜調節／設定される。
【００９６】
　この実施例において本発明回路は、ＬＥＤユニット（４３）内部のＬＥＤ駆動回路（４４）の中にある通信手段（４５）の受信回路（４１）、送信回路（４２）の周辺に構成されている。この本発明回路（４６）は、通信障害状態前の最後の垂直同期信号（Ｖ）受信後から通信障害状態として認識するまでの時間（Ｔ１）を、例えば今回のＶＳＹＮＣ同期パケット周期１６．６ｍｓでＬＥＤユニット（４３）の点灯表示動作を行うのであれば、１６．６ｍｓ以上で十分余裕をみた設定にしておく必要がある。つまり、この時間（Ｔ１）は、ＶＳＹＮＣ同期パケット周期等に応じて決定することができる。
【００９７】
　通信障害状態から通信手段（４５）のリセットを行うまでの時間（Ｔ１）、及び通信部リセットの周期を決定する（Ｔ２）については、通信障害状態でＶＳＹＮＣ同期パケット受信と通信部リセット信号が偶然重なった場合、ＶＳＹＮＣ同期パケット（コントローラから送信される垂直同期信号をパケット形式にしたデータ）の正常受信ができず通信障害状態が回復されないままになる（通常状態への復旧が、最短でも次のＶＳＹＮＣ同期パケット受信まで遅れる）ので、ＶＳＹＮＣ同期パケット自身の長さより大きくとった値にすることが特に好ましい。
【００９８】
　すなわち、通信障害状態でＶＳＹＮＣ同期パケット受信と通信部リセット信号が偶然重なると、通信手段（４５）がＶＳＹＮＣ同期パケット受信中に受信中の信号ともども通信手段（４５）すべてが、通信部リセット信号によりリセット（初期化）されてしまうことになり、ＶＳＹＮＣ同期信号が入力受信されず通信障害からの復旧がされないからである。したがって、ＶＳＹＮＣ同期パケット受信と通信部リセット信号が重なる確率を十分に低くしておくことが特に好ましい。本実施例ではＶＳＹＮＣ同期パケット自身の長さが２．５６μｓに対し、（Ｔ２）は１６．６ｍｓ〜１ｓまでの設定を行い、正常動作を確認している。
【００９９】
　また、周期（Ｖ）は６０Ｈｚ（１６．６ｍｓ）には限定されないので、その値（Ｖ）に基づいた（Ｔ１）の最適な設定を行う必要がある。例えば周期（Ｖ）が６６．４ｍｓになった場合は、（Ｔ１）は最低でも６６．４ｍｓ以上であることが好ましい。さらに、通信障害状態ではＬＥＤユニットの表示動作の停止やコマ飛び（数画面分の表示がされない）が発生するので、通信障害状態になる前の最後の垂直同期信号受信から障害状態の復旧手配までの最短時間（Ｔ１+Ｔ２）は可能な範囲において短い方が好ましい。本実施例では（Ｔ１+Ｔ２）は３３．２ｍｓ〜２ｓの範囲で設定を行い、正常動作を確認している。
【０１００】
　（実施例２）以下に実施例２として別の実施形態を示す。図６のＬＥＤディスプレイブロック（６１）は２４×４８ドット構成（ＲＧＢ３画素あたり１ドット）のＬＥＤユニット（６２）を縦４列×横４行でマトリクス状に構成している。図中のコントローラ（６６）には映像（表示）データ出力端子が４ポートあり、これに汎用ＬＡＮケーブル（６１１）が接続できるようになっている。ここから表示用データはコントローラ（６６）内部でパケット化しＬＶＤＳ（ローボルテージディファレンシャルシグナル）差動信号で出力され、ＬＡＮケーブル（６１１）長さ３０ｍ時にデータ転送レートが２５Ｍｂｐｓで送信できるようになっている。一般に、このケーブル（６１１）の長さが長いほど、またデータ転送レートが早いほどデータ送受信に関わる通信エラー発生度合いが増加し、また通信エラー内容が重篤になる傾向にあると考えられる。
【０１０１】
　このＬＥＤディスプレイブロック（６１）とコントローラ（６６）間にはＬＶＤＳ−ＬＶＣＭＯＳ変換回路（６７）が接続されており、このＬＶＤＳ−ＬＶＣＭＯＳ変換回路（６７）で信号レベルの変換が行われる。ＬＶＣＭＯＳに変換された表示データは、カスケード接続された各ユニット（６２）に送られる。各ユニット（６２）の内部には、主にＬＥＤを駆動するＬＥＤドライバＩＣ（６３）とそのＬＥＤドライバＩＣ（６３）を制御するＬＥＤドライバ制御ＩＣ（６４）で構成されている。ＬＥＤドライバ制御ＩＣ（６４）は表示データ用ＲＡＭ（６５）を内蔵しており、コントローラ（６６）からＲＡＭ（６５）に１画面分の表示データがラスタスキャン方式で転送され、ＲＡＭ（６５）からの読み出し時にＬＥＤドライバＩＣ転送用フォーマットに変換されて（６９）ＬＥＤドライバＩＣ（６３）に転送される。
【０１０２】
　この実施例２においては、ＬＥＤドライバ制御ＩＣ（６４）にはＬＱＦＰ６４ｐｉｎの比較的小さいパッケージタイプのＩＣを採用している。これは各ユニット（６２）内にＬＥＤドライバ制御ＩＣ（６４）を実装するため、スペース上の制約からＬＥＤドライバ制御ＩＣ（６４）実装面積をあまり大きくできないという制限があるからである。これに対応させて、ＬＥＤドライバＩＣ（６３）へのインターフェースも１ポートのみとなっており、小型／軽量であるとともに、配線等接続構造もシンプルであるので、エラー誘発要因の低減した構成となっている。
【０１０３】
　また、ＬＥＤドライバ制御ＩＣ内蔵ＲＡＭ（６５）の容量自体にも実装面積からくる制限があるので、ＲＡＭ（６５）に記憶できる点灯制御画素数にもＲＡＭ容量による制限がでてくる。しかしながら各ユニット（６２）内部にLEDドライバ制御ＩＣ（６４）を持つことによってシステム構成が単純になり、余分なケーブル接続は必要なく、設置時の制約は少ない。さらには、必要に応じて上記ＲＡＭ（６５）容量（図８の画像データメモリＡ（８７）と画像データメモリＢ（８８）に対応）は外部増設メモリによって外付けで増設することが可能であり設置面積と必要容量とのマッチングにおいて適宜設定することができる。
【０１０４】
　図６に示す各ユニット（６２）内のＬＥＤドライバ制御ＩＣ（６４）は、図８におけるハッチング部（８３）で示される。図８において本実施例２の本発明回路（８６）は通信部（８９）に隣接した部分に通信部（８９）と電気的に接続されて設置されているが、本実施例２の本発明回路（８６）の詳細は図１に示すとおりである。
【０１０５】
　（実施例３）図７は、コントローラ（７１）からの出力信号線が複数の分配ボード（７２）にカスケードに接続されており、分配ボード（７２）からはスター型配線で放射状に各ユニット（７３）と接続されてＬＥＤディスプレイユニットを構成した第３の実施例のＬＥＤディスプレイユニット構成模式図である。この実施例３に関わるコントローラ（７１）は図６のものと全く同じコントローラで、信号レベル、転送レート、パケットフォーマット等同じになっている。
【０１０６】
　分配ボード（７２）は図６のＬＥＤドライバ制御ＩＣ（６４）と同等な機能を有し、この実施例では、図８のハッチング部（８３）に示すような本発明回路（８６）を備えている。すなわち表示データ用ＲＡＭ（８７，８８）を内蔵し、コントローラ（７１）からＲＡＭ（８７，８８）に１画面分の表示データがラスタスキャン方式で転送され、ＲＡＭ（８７，８８）からの読み出し時にＬＥＤドライバＩＣ転送用フォーマットに変換されてＬＥＤドライバＩＣ（７４）に転送される。この実施例３において各ユニット（７３）はＬＥＤドライバＩＣ（７４）を搭載しているが、ＬＥＤドライバ制御ＩＣは備えていない。これは、ＬＥＤドライバ制御ＩＣに相当する上記のような機能を分配ボードが備え、あるいはＬＥＤドライバ制御ＩＣそのものを分配ボードが備え機能担当しているからである。この機能を有する手段であれば、実施例の図８のハッチング部（８３）に示す本発明回路（８６）に限定されることはなく、同機能の他回路／素子等で代替することも可能である。
【０１０７】
　分配ボード（７２）にはＬＥＤドライバ制御ＩＣ用のデバイスとして２０８ｐｉｎＰＱＦＰパッケージのＦＰＧＡを採用している。上記構成、すなわち、ＬＥＤドライバＩＣ（７４）がユニット（７３）内に有り、ＬＥＤドライバ制御ＩＣが分配ボード（７２）内にあることから、分配ボード（７２）内の実装面積に比較的余裕が出てくるので、これにより端子数が多くとれ、したがって１分配ボード（７２）（あるいはＬＥＤドライバ制御ＩＣ）当たりに接続されるユニット（７３）数も多くでき、さらにはまた、画像データメモリＡ（８７）、Ｂ（８８）の増設として外付けの大容量ＲＡＭを搭載した場合には点灯制御画素数も多くできるという利点がある。
【０１０８】
　図８は図６のユニットの内部回路構成を示し、図９は図７のユニットの内部回路構成を示す。実施例では図６のユニット及び図７の分配ボード共にＬＥＤドライバＩＣを制御する制御回路として、図８の斜線で囲った部分（ＬＥＤドライバ制御ＩＣ（８３））を備えている。この回路の動作タイムチャートを図１０に示す。コントローラ（６６，７１）内部で生成されたＶＳＹＮＣ信号（垂直同期信号）は周期（Ｖ）で常時発生している。このＶＳＹＮＣ信号周期（Ｖ）に同期してＶＳＹＮＣ同期パケット（ＶＳ）がユニットに入力される。このＶＳＹＮＣ同期パケット（ＶＳ）の間に画像パケットｕｎｉｔ１〜ｕｎｉｔＮを各ユニットに伝送すると、ユニット内部で点灯動作が開始される。まずユニット内部で点灯フレームが生成され、コモンスキャン用アドレスが動作し、それに同期して画像データ及び同期クロックが駆動回路に入力され点灯動作が開始される。
【０１０９】
　ＬＥＤドライバ制御ＩＣ（８３）内部には画像データメモリＡ（８７）、画像データメモリＢ（８８）の２つのメモリがあり、ＶＳＹＮＣ同期パケット（ＶＳ）を受信すると２つの画像メモリの読み出し動作、書き込み動作が切り替わる。図１０に示すように、画像パケット（画像データ１）を受け取ると画像データメモリＡ（８７）に書き込まれる。その後、ＶＳＹＮＣ同期パケット（ＶＳ）を受信すると２つの画像メモリの読み出し動作、書き込み動作が切り替わり、画像データメモリＡ（８７）に書き込まれた画像データ１の読み出しが開始されるとともに、画像データメモリＢ（８８）に画像パケット（画像データ２）の書き込みが行われる。このように、２つのメモリを使って交互に書き込み／読み出しを行うことにより連続画像点灯動作が行われる。なおメモリＡ、メモリＢの順序は可変である。
【０１１０】
　図６においてコントローラ（６６）−ユニット（６２）間、図７においてはコントローラ（７１）−分配ボード（７２）間はＬＶＤＳ差動信号を用いてデータ転送を行っている。ＬＶＤＳやＲＳ４２２等の差動信号（平衡伝送方式）や通常の非平衡伝送方式の信号は一般に、距離が長くなるほど、また転送レートが速くなるほどビット誤り率が増加することが知られており、ビット誤りを皆無にすることは極めて難しい。そして、このビット誤りがあるとそのビット誤りに起因する通信障害が発生することになる。このため、実施例に示すような転送距離、転送レートにおいて、本発明回路に関わる機能を搭載していない場合は、数分から数時間後程度において全２重双方向パケット通信の同期がはずれるなどして通信エラー（通信障害）が発生し、表示ができない状態に陥り通信障害が継続する。
【０１１１】
　この同期がはずれた通信エラー等の状態から復旧させるために、典型的には図１に示す本発明回路を備えると有効である。
【０１１２】
　（実施例４）第４の実施例を図１１に、その動作タイミングチャートを図１２に示す。図１１に示すように実施例４の本発明回路（１４）は通信部（１３）と電気的に接続されている。この通信部（１３）は全２重双方向パケット通信を行う部分で、送信回路（１２）と受信回路（１１）に分かれている。受信回路（１１）で受信したデータは、送信回路（１２）に転送され必要に応じて通信部（１３）を備えるＬＥＤドライバ制御ＩＣを有する前段のユニット（又は分配ボード）や次段のユニット（又は分配ボード）、あるいはコントローラに送信される。図１１は模式的に示した構造図であり、図６や図７に示すいずれのユニット構成にも適用可能である。
【０１１３】
　コントローラ側から送信されたＶＳＹＮＣ同期パケットをＬＥＤドライバ制御ＩＣの通信部（１３）が検出すると受信回路で垂直同期信号（vstart）を生成する。垂直同期信号（vstart）（１１０）は本実施例４を示す図１１のカウンタ回路１（１５）に入力（入力１）されている。このカウンタ回路１（１５）には外部からクロック信号（clk）（１１７）とリセット信号（xreset）（１１８）、通信障害状態を示すフラグ１（verr-a）（１１５）が入力されている。実施例４では、クロック信号（clk）（１１７）はＬＥＤドライバ制御ＩＣのシステムクロックである２５ＭＨｚを入力し、リセット信号（xreset）（１１８）は電源起動時のみ初期リセット動作を行う信号として入力している。
【０１１４】
　この垂直同期信号（vstart）（１１０）によってカウンタ回路１（１５）の出力であるカウンタ値１（vcount）（１１３）は、図１２に示すようにカウント動作をリセットし、再び“０”からカウント動作を開始する。ここに示す実施例４では、このカウントの速度を２．５６μsに設定した。また時間（Ｔ１）の時間設定用の比較値１（１１４）を（Ｍ）、時間（Ｔ２）の時間設定用の比較値２（１１６）を（Ｎ）とする。本実施例においてはこの（Ｍ）、（Ｎ）は図１１に示すように記憶装置（１８）に格納されており、外部との通信により記憶装置内のデータ読み出し、書き込み動作を行うことによって適宜設定及び設定変更する事が可能になっている。
【０１１５】
　比較回路１（１６）において、この比較値１（Ｍ）とカウンタ回路１（１５）の出力であるカウンタ値１（vcount）（１１３）とが一致すると、図１２にも示すように比較回路１（１６）からフラグ１（verr-a）（１１５）が出力される。このフラグ１（verr-a）（１１５）が“high”になると、再びカウンタ回路１（１５）がカウント動作を“0”から開始する。このフラグ１（verr-a）（１１５）が“high”になった状態を通信障害状態とし、この状態の時にカウンタ値１（vcount）（１１３）と比較値２（１１６）の（Ｎ）が一致すると、比較回路２（１７）で通信部リセット信号（v-clr）（１１１）が出力される。
【０１１６】
　この通信部リセット信号（v-clr）（１１１）は通信部（１３）の全回路及びカウンタ回路１（１５）にリセット信号として入力され、通信部リセット信号（v-clr）（１１１）が入力されると通信部（１３）は全て初期化され、再び同期可能な状態に復旧する。図１２では、Ｍ＝３９０６２、Ｎ＝１９５３１としている。この結果、（Ｔ１）は１００．００１２８ｍｓ、（Ｔ２）は５０．００１９２ｍｓの時間設定となる。
【０１１７】
　また図１２に示すように、現在の通信状態が分かるようにカウンタ回路1（１５）の出力に通信状態（ve-cnt）（１１９）を設け、通常状態ならば“０”、通信障害状態で通信部リセット信号（v-clr）（１１１）が入っていない状態では“１”、その後通信部リセット信号（v-clr）（１１１）が入る度に“2”、“3”、“4”とカウントする。そして、通信が復旧したことを確認（垂直同期信号（vstart）受信）すると“０”に戻るようにしている。図１１に示す第４の実施例においては、この通信状態（ve-cnt）（１１９）は一端記憶装置（１８）に格納保持されるように回路構築している。この情報は、通信障害情報（verr-b）（１１２）として比較回路１（１６）からの情報とともに通信部（１３）を通じて任意に読み出し、消去できる。また、この読み出しや消去は通信部（１３）を経由せずとも例えば、直接パソコン等コントローラ側とＲＳ２３２ＣやＬＡＮケーブル（無線ＬＡＮ含む）等と接続することで、読み出し、消去等アクセスするようにしてもよい。
【０１１８】
　さらに、記憶装置（１８）内部では図１２に示すように、記憶装置内通信障害情報（verr-b）を設けている。記憶装置内通信障害情報（verr-b）は、図１２にも示すように、通信障害状態になると“high”になるが、通信障害状態から復旧しても“high”になった状態で保持される。これは、外部からの通信によって過去に通信障害が発生したかどうかが分かるようにするためであり、この記憶装置からの通信障害情報（verr-b）（１１２）の読み出しを行った直後に通信部からリードクリア信号（reg-clr）（１９）が出力され、記憶装置内通信障害情報（verr-b）は“low”に戻る。
【０１１９】
　ここで、図１や図１１に示すような本発明回路の典型例（実施例１や実施例４）においては、（Ｔ１）や（Ｔ２）のそれぞれの独立な時間設定自由度が次に詳述する図１３に示すような本発明回路の別の典型例（実施例５）に比べて大きい。すなわち、通信障害状態と判断するまでの時間設定（Ｔ１）やその後通信部リセット信号（v-clr）（１１１）を入力するまでの時間設定（Ｔ２）は、外部からの設定値（Ｍ）、（Ｎ）として設定可変である。したがって、通信環境によってすなわち、通信速度や通信距離、さらには通信ケーブルや通信装置が使用される温湿度等の環境、通信データ量やデータ内容、求められる通信の品質や表示方式や接続段数など様様な要因によって上記（Ｔ１）や（Ｔ２）の最適設定値は異なってくるものであるが、用途と目的に応じて最適設定値となるように調整できるように構成されているものである。
【０１２０】
　（実施例５）図１３に別の典型例として第５の実施形態を示す。これは図１１に示す第４の実施形態対して比較回路２（１７）を用いずに本発明回路構成（１４）を実現した場合である。比較回路１（１６）から通信部リセット信号（v-clr）（１１１）を出力するようになっている。この第５の実施例の実施動作タイミングチャートを図１４に示す。この場合、比較値１（１１４）が（Ｍ）しかないので（Ｔ１＝Ｔ２）の時間設定のみとなる。この実施例５においては、設定値がＭのみで時間設定（Ｔ１）と（Ｔ２）が（Ｔ１＝Ｔ２）の場合のみであるので設定が簡単である。この例においては、フラグ１（１１５）が挙がっている状態で比較値１（１１４）とカウンタ値１（１１３）の一致を比較回路１（１６）が検出すると、通信部リセット信号（１１１）を出力し、フラグ１（１１５）が挙がっていない状態で比較値１（１１４）とカウンタ値１（１１３）の一致を比較回路１（１６）が検出すると、フラグ１（１１５）を挙げる信号を選択的に出力する。
【０１２１】
　またカウンタ回路１（１５）は、図１４に示すように垂直同期信号（１１０）が入力されるまで、比較回路１（１６）からの信号（フラグ１（１１５）が挙がれば“１”に、通信部リセット信号（１１１））が入るたびに通信状態（ve-cnt）（１１９）を“２”“３”“４”・・・とカウントアップする。ただし、この図１３に示す典型的回路構成は、比較機能を単一の比較回路（比較回路１）のみで担当させている典型的回路構成を示すものであり、比較値１や比較値２を比較回路１に対して例えば（Ｔ１）カウント時と（Ｔ２）カウント時で順次比較値の設定を変える比較値選択手段を備えることで、図１４に示す時間（Ｔ１）と時間（Ｔ２）の設定時間を可変的に任意設定することも可能である。
【０１２２】
　さらにはまた、図１３に示す実施態様５の別の典型的実施動作タイミングチャート説明を図１５に示す。このタイミングチャート図１５による動作では、通信障害状態と認識するための時間（Ｔ１）と通信障害状態になってから実際に通信部を通信部リセット信号（v-clr）（１１１）によってリセットするまでの時間（Ｔ２）を併合し１の設定時間（Ｔ１）にしたもので、垂直同期信号（Ｖ）から時間（Ｔ１）を検出すなわち、カウンタ値１（１１３）が比較値１（１１４）と一致すると比較回路１（１６）が通信障害状態と認識しフラグ１（verr-a）（１１５）を挙げると同時に、通信部リセット信号（v-clr）（１１１）が出力される。
【０１２３】
　ここで、図１２と図１４と図１５に示すタイムチャートに関わる動作詳細を比較説明する。図１２のように、通常状態から通信障害状態と判断するまでの時間（Ｔ１）と、通信障害状態と認識してから１回目の通信部リセット信号（v-clrが）が出力されるまでの時間（Ｔ２）の個別独立設定が可能な場合（パターン１）と、図１４のように時間（Ｔ１）と時間（Ｔ２）の時間が同じ設定値（同一の比較値１のみを利用）のみ可能な場合（パターン２）と、図１５のように（Ｔ１）の設定のみ可能な場合（パターン３）がある。
【０１２４】
　時間（Ｔ１）の設定が周期（Ｖ）以下（Ｔ１≦Ｖ）の場合には、通常状態でも通信障害状態と判断してしまうので、（Ｔ１）の時間設定はＶＳＹＮＣ周期（Ｖ）より大きく（Ｔ１＞Ｖ）なければならない。（Ｖ）は画面表示の切替え周期でもあり、この周期（Ｖ）はスクロール等の表示内容や接続段数によって最適設定時間が変わってくる。よって、様々なタイプの画像を同一の回路で扱うためには（Ｔ１）の時間設定は、周期（Ｖ）等の設定変更に応じて設定可変であることが好ましい。（Ｔ１）の時間設定は、周期（Ｖ）が常に一定であるならば、復旧までの時間を少なくするため、すなわち、できるだけ速やかな復旧動作を開始させるためには、なるべく（Ｖ）に近い値が好ましい。通常、ディスプレイ等を含む通信における定常表示動作中には、周期（Ｖ）は一定にて動作させることが多い。したがって、この場合には、周期（Ｖ）より大きくかつできるだけ周期（Ｖ）に近い（Ｔ１）時間設定が最も好ましい設定時間値（Ｔ１）であるということになる。
【０１２５】
　（Ｔ２）は通信障害状態と認識してから１回目の通信部リセット信号（v-clr）が出力されるまでの時間であるが、通信部の初期化（リセット）までのマージンを確保するための時間であり、例えば、表示データ以外で周期（Ｖ）以上の時間が必要である大量なデータを一回でも送信する場合には、設定時間（Ｔ２）を設けていなければ、時間（Ｔ１）だけ同期信号（Ｖ）が入力受信されなかった時点で即座に、通信部リセット信号（v-clr）が出力されるので、すなわち、通信障害状態と判断されると同時に通信部リセット信号（v-clr）が出力され、受信信号中に通信部リセット信号（v-clr）が入り、正常なデータ受信ができなくなるので、この場合の大量データ送信時間分の十分にマージンをみた（Ｔ２）を設定しておくことにより、上記のような定常的な周期（Ｖ）を超過するような時間を要する大量なデータの送受信にも対応する上ではより好ましい。このようにコントローラ側で、大量のデータを送ることがある場合などにおいて意図的に（Ｖ）を大きくする可能性がある場合は、そのマージン分の（Ｔ２）を設定しておくことが適正な通信障害復旧動作を実施する上で好ましい。時間（Ｔ１）を大きくしすぎると大量データ受信も可能ではあるが、一方で通常状態において、通信障害状態と判断するまでの時間が長くなってしまい、復旧までの時間も長くなる傾向にあり好ましくない。
【０１２６】
　また、時間（Ｔ２）は通信障害状態が回復するまで出力され続ける通信部リセット信号（v-clr）の出力周期でもあるが、この時間（Ｔ２）を周期（Ｖ）と同じ値にすると、ＶＳＹＮＣ同期信号（Ｖ）受信と同期して通信部リセット信号（v-clr）が入力受信される場合があるので、この場合にはＶＳＹＮＣ同期信号（Ｖ）の正常な受信ができなくなることも考えられ、この意味において（Ｔ２）と周期（Ｖ）は違う値を設定することによって、ＶＳＹＮＣ同期信号（Ｖ）受信と通信部リセット信号（v-clr）入力タイミングをずらすことができるのでより好ましい。
【０１２７】
　これらのことから、上記（パターン１）は時間（Ｔ１）、（Ｔ２）の最適な値が設定でき、例えばスクロール表示等でスクロール速度調節のためにＶＳＹＮＣ周期（Ｖ）を変化させる場合やユニット接続段数を増やしたい場合等、様々な表示方法に対応して最適な設定をすることができるので最も好ましい態様の一つであるといえる。また、（パターン２）は時間（Ｔ１）と（Ｔ２）が同じ設定（Ｔ１＝Ｔ２）しかできない。例えば、上記設定の（Ｔ１）、（Ｔ２）２つの値のうち周期（Ｖ）より大きい（Ｔ１）のほうを（Ｔ１）、（Ｔ２）の共通設定値として設定しておくことがマージン設定の意味からは好ましいものであるが、そうすると時間（Ｔ１）、（Ｔ２）の合計時間設定が大きくなってしまう傾向にあり、すなわち復旧までの時間も長くなり時間がかかる傾向にある。一方で、回路構成は図１１や図１６に示す（パターン１）の場合よりも図１３に示す（パターン２）の方が比較的シンプルで簡単になるので、各種設定やメンテナンスが容易であり、かつ配線が少なくできるという利点がある。また、（パターン３）も（パターン１）に比べて回路構成が簡単になるだけでなく、（パターン２）に比べてもさらに、図１５に示すように回路動作そのものが簡便になる。この（パターン３）では時間（Ｔ２）の設定がないので、時間（Ｔ１）より短い時間に送受信される通信データ、すなわち、時間（Ｔ１）より小さい周期（Ｖ）間毎に送受信される通信データのみを通信し取り扱いする場合には特に有効である。
【０１２８】
　（実施例６）図１６に本発明回路に関わる別の第６の実施形態を示す。典型的実施例６は、書き換え可能な記憶装置（１８）を持たずに設定時間（Ｔ１）、（Ｔ２）を固定値（１６０）にしておく場合である。この固定値（１６０）は、比較回路（１６，１７）等に初期設定値として設定保持しておくことも可能である。この固定値（１６０）は経験的に予め好ましい設定時間（Ｔ１）、（Ｔ２）の値が判明していたり、過去に発生した通信障害をコントローラ側が知る必要がなければ特に記憶装置を持たせる必要はないので、予め判明している設定時間（Ｔ１）と（Ｔ２）、あるいはいずれか一方の初期設定さえしておけば再設定や再調整等の必要はないものである。設定時間（Ｔ１）と（Ｔ２）のいずれか一方のみ固定値とし、残りの一方を書き換え可能記憶装置に格納する構成としてもよい。
【０１２９】
　本件明細書で示すＶＳＹＮＣ同期パケットの転送時間Ｔｐを２．５６μs、ＶＳＹＮＣ同期パケットの転送周期（Ｖ）を３０〜１２０Ｈｚに設定し、（Ｔ１）＋（Ｔ２）（図１５の動作ではＴ１のみ）は３３．２ms〜２sの範囲で設定を行いコントローラとユニット、又はコントローラと分配ボード間で、同期がはずれた時でも、リセットし円滑に再同期が可能になり通信が復旧されることを確認している。この垂直同期信号の周期（Ｖ）、及び設定値可変の記憶装置を用いた実施例においては（Ｔ１＋Ｔ２）の時間設定値はコントローラから制御可能になっている。
【０１３０】
　記憶装置を設けない本実施例においては、通信状態を一端記憶装置に保持することなく、通信状態（ve-cnt）（１１９）をリアルタイムで双方向通信により、通信部（１３）を経由してコントローラ側でモニターし監視することができる。なお、コントローラはディスプレイ本体とは別に、ディスプレイ制御室などのオペレータ側に設置されることが望ましい。例えば、ビルディング等建てや屋上などの、オペレータ常駐には危険が伴うような個所にディスプレイを設置した場合でも、常に作業者はコントローラ室など設置場所と離れた安全な場所で、ディスプレイに表示させる全データの制御のみならず、通信障害等に関わる復旧までのコントロールを手元の制御用電子計算機（パソコン、オフコンなど）にてリアルタイムに監視し、制御することが可能である。なお、モニター側すなわちオペレータ側やコントローラ側での監視については、必要に応じてモニター側に記憶装置等を設け、通信状態の記録をすることは可能であることはいうまでもない。
【図面の簡単な説明】
【０１３１】
【図１】図１は本発明の一実施態様に関わる詳細ブロック説明図
【図２】図２は本発明の一実施態様に関わる動作タイミングチャート説明図
【図３】図３は本発明の実施例を示す４×４ＬＥＤユニットブロック構成図
【図４】図４はＬＥＤユニット内の回路構成模式図
【図５】図５は本発明と比較のために示すＬＥＤディスプレイの構成を示す模式図
【図６】図６は本発明の第２の実施例に関わるＬＥＤディスプレイブロック構成とＬＥＤユニット内回路模式図
【図７】図７は本発明の第３の実施例に関わるＬＥＤユニットの構成模式図とユニット内回路構成模式図
【図８】図６のＬＥＤユニット内部回路の構成模式図
【図９】図７のＬＥＤユニット内部回路の構成模式図
【図１０】図１０は本発明の第２の実施例に関わる図８の回路の動作タイミングチャート説明図
【図１１】図１１は本発明回路に関わる第４の実施形態の回路模式図
【図１２】図１２は本発明回路に関わる第４実施形態の回路の動作タイミングチャート説明図
【図１３】図１３は本発明回路に関わる第５の実施形態の回路模式図
【図１４】図１４は第５の実施形態の動作タイミングチャート説明図
【図１５】図１５は第５実施形態の動作タイミングチャートの別実施形態の説明図
【図１６】図１６は本発明回路に関わる第６の実施形態の回路模式図
【図１７】図１７は本発明の一実施態様を示すブロック概念図です
【符号の説明】
【０１３２】
　１１，４１，８１１，１７２・・・受信回路、１２，４２，８１０，１７３・・・送信回路、１３，８９，１７４・・・通信部、４５，１７５・・・通信手段、１４，４６，８６・・・本発明回路、１５・・・カウンタ回路１、１６・・・比較回路１、１７・・・比較回路２、１８・・・記憶装置、１９・・・リードクリア信号（ｒｅｇ-ｃｌｒ）、１１０・・・垂直同期信号（ｖｓｔａｒｔ）、１１１・・・通信部リセット信号（ｖ-ｃｌｒ）、１１２・・・通信障害情報（ｖｅｒｒ-ｂ）、１１３・・・カウンタ値（ｖｃｏｕｎｔ）、１１４・・・比較値１（Ｍ）、１１５・・・フラグ１（ｖｅｒｒ-ａ）、１１６・・・比較値２、３１，４３，５０２・・・ＬＥＤユニット、３２・・・ＬＥＤユニットブロック、３３・・・通信用信号コネクタ、３４・・・８芯フラットＬＡＮケーブル、３５・・・ＬＥＤユニットコントローラ、４４・・・ＬＥＤドライバ制御ＩＣ（ＬＥＤ駆動回路）、４７・・・ユニット内記憶装置、４８・・・ドライバＩＣ制御回路、４９・・・ＬＥＤドライバＩＣ、５０１・・・ＬＥＤディスプレイ、５０４・・・分配器、５０５・・・シフトレジスタ回路、５１０・・・表示用フルカラー映像データ、５２０・・・各種制御信号、６１・・・ＬＥＤディスプレイブロック、６２・・・ＬＥＤユニット、６３，７４・・・ＬＥＤドライバＩＣ、６４・・・ＬＥＤドライバ制御ＩＣ、６５・・・内蔵ＲＡＭ、６６・・・コントローラ、６７・・・ＬＶＤＳ−ＬＶＣＭＯＳ変換回路、６８・・・全２重双方向パケット通信汎用ＬＡＮケーブル、６９・・・ドライバＩＣ転送用フォーマット、６１０・・・ＬＥＤユニット間表示・制御データ、６１１・・・全２重双方向パケット通信汎用ＬＡＮケーブル、７１・・・コントローラ、７２・・・分配ボード、７３・・・ユニット、７５・・・ＬＥＤユニット−分配ボード間表示データ、７６，７７・・・ＬＡＮケーブル、８１・・・ドットマトリックスＬＥＤパネル、８２・・・コモンドライバ回路、８３・・・ＬＥＤドライバ制御ＩＣ、８４・・・ＬＥＤドライバＩＣ、８５・・・制御データ用ＥＥＰＲＯＭ、８７・・・画像データメモリＡ、８８・・・画像データメモリＢ、１１７・・・クロック信号（ｃｌｋ）、１１８・・・リセット信号（ｘｒｅｓｅｔ）、１１９・・・通信状態（ｖｅ-ｃｎｔ）、１６０・・・比較値の固定値設定手段、１７０・・・第一の検出手段、１７１・・・第二の検出手段
【図１】
2004145321.tif 000003
【図２】
2004145321.tif 000004
【図３】
2004145321.tif 000005
【図４】
2004145321.tif 000006
【図５】
2004145321.tif 000007
【図６】
2004145321.tif 000008
【図７】
2004145321.tif 000009
【図８】
2004145321.tif 000010
【図９】
2004145321.tif 000011
【図１０】
2004145321.tif 000012
【図１１】
2004145321.tif 000013
【図１２】
2004145321.tif 000014
【図１３】
2004145321.tif 000015
【図１４】
2004145321.tif 000016
【図１５】
2004145321.tif 000017
【図１６】
2004145321.tif 000018
【図１７】
2004145321.tif 000019
【手続補正書】
【提出日】平成15年10月9日(2003.10.9)
【手続補正１】
【補正対象書類名】図面
【補正対象項目名】図２
【補正方法】変更
【補正の内容】
【図２】
2004145321.tif 000020
【手続補正２】
【補正対象書類名】図面
【補正対象項目名】図１０
【補正方法】変更
【補正の内容】
【図１０】
2004145321.tif 000021
【手続補正３】
【補正対象書類名】図面
【補正対象項目名】図１２
【補正方法】変更
【補正の内容】
【図１２】
2004145321.tif 000022
【手続補正４】
【補正対象書類名】図面
【補正対象項目名】図１４
【補正方法】変更
【補正の内容】
【図１４】
2004145321.tif 000023
【手続補正５】
【補正対象書類名】図面
【補正対象項目名】図１５
【補正方法】変更
【補正の内容】
【図１５】
2004145321.tif 000024